(57)【要約】      （修正有）【課題】共有放送サービスを既に受信中である無線移動局が関わるポイントツーポイントコールを開始させる。【解決手段】無線移動局が放送コンテンツを受信中に無線移動局及び遠隔の第三者の間で開始されたポイントツーポイントコール（７０２）を管理するための方法である。移動局は、所定の動作条件カテゴリに関する優先事項（例えば、放送コンテンツの受信を続けるべきかどうか、及びポイントツーポイントコール及び放送コンテンツのうちのいずれを選択するか、等）をネットワークに通知する（７０４）。通信は、優先事項に従い、（１）ポイントツーポイントコールを実施し、放送の受信を中止する、（２）ポイントツーポイントコールを実施し、放送の受信を続ける、及び（３）ポイントツーポイントコールの完了を打ち切り、放送の受信を続ける、の３つの動作モードのうちのいずれか１つの動作モードで行われる（７０６）。【選択図】図７
2010119114.tif 000002
【特許請求の範囲】
【請求項１】
無線移動局がマルチユーザー順方向リンク放送チャネルを通じて放送コンテンツを受信中に前記無線移動局と遠隔の第三者との間で開始されたポイントツーポイントコールを管理するための方法であって、
（１）前記放送コンテンツの受信を続けるかどうか、及び、（２）ネットワーク資源が前記ポイントツーポイントコール及び前記放送コンテンツを同時並行して実施することができない場合に、前記ポイントツーポイントコール及び前記放送コンテンツのうちのいずれを選択するか、を少なくとも含む所定の動作条件カテゴリに関する優先事項を確認することと、
（１）前記ポイントツーポイントコールを実施し、前記放送の受信を中止する、及び、（２）前記ポイントツーポイントコールを実施し、前記放送の受信を続ける、のうちのいずれか１つの所定の処理を含む動作を前記優先事項に従って行うこと、とを具備する方法。
【請求項２】
前記動作を行うことは、（１）ネットワーク資源が前記放送コンテンツの実施を続けることができるかどうかを考慮せずに前記ポイントツーポイントコールを完了させる、（２）ネットワーク資源が前記ポイントツーポイントコール及び前記放送コンテンツを同時並行して実施することができる場合は前記ポイントツーポイントコールを完了させる、及び（３）ネットワーク資源が前記ポイントツーポイントコール及び前記放送コンテンツを同時並行して実施することができない場合は前記放送の受信を続けて前記ポイントツーポイントコールの完了を打ち切る、のうちのいずれか１つのタスクをネットワークが実施することを含む、請求項１に記載の方法。
【請求項３】
前記所定の動作条件カテゴリは、着信ポイントツーポイントコールを受信するかどうかをさらに含み、前記所定の処理は、着信ポイントツーポイントコールの完了を打ち切ること及び前記放送コンテンツの受信を続けることをさらに含む、請求項１に記載の方法。
【請求項４】
前記所定の動作条件カテゴリは、ネットワーク資源が全番組を同時並行して実施することができない場合に複数の放送コンテンツ番組の間から選択することをさらに含む、請求項１に記載の方法。
【請求項５】
前記ポイントツーポイントコールは、前記移動局によって開始された発呼であり、前記確認する動作は、前記移動局が前記優先事項を表したメッセージを呼発信メッセージと共に前記ネットワークに伝送することを具備する、請求項１に記載の方法。
【請求項６】
前記ポイントツーポイントコールは、前記移動局に対して呼を行っている遠隔の第三者によって開始された着呼であり、前記ネットワークは、着呼の到着を前記移動局に警告するためのページングを前記移動局に行い、前記動作は、前記移動局が前記呼を受け入れるためのページ応答メッセージを伝送することをさらに含み、ネットワーク資源が前記ポイントツーポイントコール及び前記放送コンテンツを同時並行して実施することができない場合は前記ポイントツーポイントコール及び前記放送コンテンツのうちのいずれを選択するかに関する優先事項を確認する前記動作は、前記選択を表したメッセージを前記ページ応答メッセージと共に前記ネットワークに伝送することと、前記ページ応答メッセージにおいて前記いずれを選択するかを示すことを保留しさらにネットワークからのチャネル応答メッセージに応答して前記いずれを選択するかを示すこと、のうちのいずれか１つを含む動作を具備する、請求項１に記載の方法。
【請求項７】
無線通信ネットワークにおいて無線移動局を動作する方法であって、
前記移動局がマルチユーザー順方向リンク放送チャネルを通じて放送コンテンツを受信中にオペレータが行った遠隔局に対するポイントツーポイントコールの開始を受信する動作と、
前記オペレータが行った開始に応答して呼処理上の優先事項を決定し、さらに、前記決定に従って、呼発信メッセージ及び前記放送コンテンツの受信継続を希望しないことを表した追加メッセージをネットワークに送ること及び呼発信メッセージ及び前記放送コンテンツの受信継続を希望することを表した追加メッセージを送ることのうちのいずれか１つを含む動作を実施する動作であって、前記追加メッセージは、ネットワーク資源が前記ポイントツーポイントコール及び前記放送コンテンツの両方を同時並行して実施することができない場合に前記ポイントツーポイントコール及び前記放送コンテンツのうちのいずれを選択するかを含む動作と、
前記ポイントツーポイントコールを完了させるネットワークからのシグナリングを待つ動作と、を具備する方法。
【請求項８】
前記呼処理上の優先事項を決定する前記動作は、前記移動局において予め保存されている呼処理上の優先事項を参照すること、及び、呼処理上の優先事項に関する問い合わせを前記移動局のオペレータに対して行うこと、のうちの少なくとも１つを具備する、請求項７に記載の方法。
【請求項９】
機械によって読取可能な命令を含みかつデジタルデータプロセッサによって実行可能な、無線通信ネットワークの１つ以上の構成要素を管理する動作を実施するためのプログラム、を有形に具体化させた信号保持媒体であって、前記動作は、
前記無線移動局がマルチユーザー順方向リンク放送チャネルを通じて放送コンテンツを受信中にオペレータが行った遠隔局への発信ポイントツーポイントコールの開始を受信することと、
前記オペレータが行った開始に応答して呼処理上の優先事項を決定し、さらに、前記決定に従って、呼発信メッセージ及び前記放送コンテンツの受信継続を希望しないことを表した追加メッセージをネットワークに送ること及び呼発信メッセージ及び前記放送コンテンツの受信継続を希望することを表した追加メッセージを送ることのうちのいずれか１つを含む動作を実施する動作であって、前記追加メッセージは、ネットワーク資源が前記ポイントツーポイントコール及び前記放送コンテンツの両方を同時並行して実施することができない場合に前記ポイントツーポイントコール及び前記放送コンテンツのうちのいずれを選択するかを含む動作を実施することと、
前記ポイントツーポイントコールを完了させるネットワークからのシグナリングを待つこと、とを具備する信号保持媒体。
【請求項１０】
前記呼処理上の優先事項を決定する前記動作は、前記移動局において予め保存された呼処理上の優先事項記録を参照すること及び呼処理上の優先事項に関する問い合わせを前記移動局のオペレータに対して行うことのうちの少なくとも１つを具備する、請求項９に記載の媒体。
【請求項１１】
無線通信ネットワークにおいて無線移動局を動作するための動作を実施するように構成されさらに相互に接続された複数の電導性素子を含む回路であって、前記動作は、
前記移動局がマルチユーザー順方向リンク放送チャネルを通じて放送コンテンツを受信中にオペレータが行った遠隔局への発信ポイントツーポイントコールの開始を受信することと、
前記オペレータが行った開始に応答して呼処理上の優先事項を決定し、さらに、前記決定に従って、呼発信メッセージ及び前記放送コンテンツの受信継続を希望しないことを表した追加メッセージを送ること及び呼発信メッセージ及び前記放送コンテンツの受信継続を希望することを表した追加メッセージを送ることのうちのいずれか１つを含む動作を実施することであって、前記追加メッセージは、ネットワーク資源が前記ポイントツーポイントコール及び前記放送コンテンツの両方を同時並行して実施できない場合に前記ポイントポイントツーポイントコール及び前記放送コンテンツのうちのいずれを選択するかを含むことと、
前記ポイントツーポイントコールを完了させるネットワークからのシグナリングを待つこと、とを具備する回路。
【請求項１２】
前記呼処理上の優先事項を決定する前記動作は、前記移動局において予め保存されている呼処理上の優先事項を参照すること及び呼処理上の優先事項に関する問い合わせを前記移動局のオペレータに対して行うことのうちの少なくとも１つを具備する、請求項１１に記載の回路。
【請求項１３】
無線通信システムにおいて使用するための無線移動局であって、
トランシーバと、
スピーカーと、
マイクと、
ユーザーインタフェースと、
前記トランシーバ、前記スピーカー、前記マイク、及び前記ユーザーインタフェースに結合されたマネージャであって、前記移動局がマルチユーザー順方向リンク放送チャネルを通じて放送コンテンツを受信中にオペレータが行った遠隔局へ発信ポイントツーポイントコールの開始を受信することと、前記オペレータが行った開始に応答して呼処理上の優先事項を決定し、さらに、前記決定に従って、呼発信メッセージ及び前記放送コンテンツの受信継続を希望しないことを表した追加メッセージを送ること及び呼発信メッセージ及び前記放送コンテンツの受信継続を希望することを表した追加メッセージを送ることのうちのいずれか１つを含む動作を実施することであって、前記追加メッセージは、ネットワーク資源が前記ポイントツーポイントコール及び前記放送コンテンツの両方を同時並行して実施できない場合に前記ポイントポイントツーポイントコール及び前記放送コンテンツのうちのいずれを選択するかを含むことと、前記ポイントツーポイントコールを完了させるネットワークからのシグナリングを待つこと、とを具備する動作を実施するようにプログラミングされたマネージャと、を具備する無線移動局。
【請求項１４】
無線移動局であって、
信号を無線で送信及び受信するためのトランシーバ手段と、
電気的入力から音声出力を生成するためのスピーカー手段と、
音声入力から電気的出力を生成するためのマイク手段と、
人間による入力を機械によって読取可能な入力に変換しさらに機械によって読取可能な出力を人間によって読取可能な出力に変換するためのユーザーインタフェース手段と、
前記トランシーバ手段、前記スピーカー手段、前記マイク手段、及び前記ユーザーインタフェース手段に結合されたマネージャ手段であって、前記移動局がマルチユーザー順方向リンク放送チャネルを通じて放送コンテンツを受信中にオペレータが行った遠隔局への発信ポイントツーポイントコールの開始を受信することと、前記オペレータが行った開始に応答して呼処理上の優先事項を決定し、さらに、前記決定に従って呼発信メッセージ及び前記放送コンテンツの受信継続を希望しないことを表した追加メッセージを送ること及び呼発信メッセージ及び前記放送コンテンツの受信継続を希望することを表した追加メッセージを送ることのうちのいずれか１つを含む動作を実施することであって、前記追加メッセージは、ネットワーク資源が前記ポイントツーポイントコール及び前記放送コンテンツの両方を同時並行して実施できない場合に前記ポイントポイントツーポイントコール及び前記放送コンテンツのうちのいずれを選択するかを含むことと、前記ポイントツーポイントコールを完了させるネットワークからのシグナリングを待つこと、とを具備する動作を実施するためのマネージャ手段と、を具備する無線移動局。
【請求項１５】
無線通信ネットワークにおいて無線移動局を動作する方法であって、
前記移動局がマルチユーザー順方向リンク放送チャネルを通じて放送コンテンツを受信中に遠隔局によって開始された着信ポイントツーポイントコールの通知をネットワークから受け取る動作と、
前記着呼を受け入れるか又は拒否するかに関するオペレータの入力を要請する動作と、
前記オペレータが前記呼を拒否する場合は、拒否通知を前記ネットワークに送る動作と、
前記オペレータが前記呼を受け入れる場合は、受入通知を前記ネットワークに送ることであって、（１）前記放送コンテンツの受信を続けるかどうか及び（２）ネットワーク資源が前記ポイントツーポイントコール及び前記放送コンテンツを同時並行して実施することができない場合は前記ポイントツーポイントコール及び前記放送コンテンツのうちのいずれを選択するかを少なくとも含む所定の動作条件に関する呼処理上の優先事項を決定することと、前記決定された呼処理上の優先事項を示した追加メッセージを前記ネットワークに送ることと、前記ポイントツーポイントコールを完了させる前記ネットワークからのシグナリングを待つこと、とを具備するさらなる動作を実施する動作と、を具備する方法。
【請求項１６】
前記受け取る動作は、前記移動局がページングメッセージを前記ネットワークから受け取ることを具備し、受入通知を前記ネットワークに送る前記動作は、ページ応答メッセージを伝送することを具備し、追加メッセージを前記ネットワークに伝送する前記動作は、前記着呼及び前記放送のうちのいずれを選択するかを前記ページ応答メッセージと共に示すこと、及び、前記ページ応答メッセージにおいて前記いずれを選択したかを示すことを保留しさらに前記ネットワークからのチャネル割当てメッセージに応答して前記いずれを選択するかを示すこと、のうちの１つを具備する、請求項１５に記載の方法。
【請求項１７】
機械によって読取可能な命令を含みかつデジタルデータプロセッサによって実行可能な、無線通信ネットワークの１つ以上の構成要素を管理する動作を実施するためのプログラム、を有形に具体化させた信号保持媒体であって、前記動作は、
前記移動局がマルチユーザー順方向リンク放送チャネルを通じて放送コンテンツを受信中に遠隔局によって開始された着信ポイントツーポイントコールの通知をネットワークから受け取ることと、
前記着呼を受け入れるか又は拒否するかに関するオペレータの入力を要請することと、
前記オペレータが前記呼を拒否する場合は、拒否通知を前記ネットワークに送ることと、
前記オペレータが前記呼を受け入れる場合は、受入通知を前記ネットワークに送ることであって、（１）前記放送コンテンツの受信を続けるかどうか及び（２）ネットワーク資源が前記ポイントツーポイントコール及び前記放送コンテンツを同時並行して実施することができない場合は前記ポイントツーポイントコール及び前記放送コンテンツのうちのいずれを選択するかを少なくとも含む所定の動作条件に関する呼処理上の優先事項を決定することと、前記決定された呼処理上の優先事項を示した追加メッセージを前記ネットワークに送ることと、前記ポイントツーポイントコールを完了させる前記ネットワークからのシグナリングを待つこと、とを具備するさらなる動作を実施すること、とを具備する信号保持媒体。
【請求項１８】
前記受け取る動作は、前記移動局がページングメッセージを前記ネットワークから受け取ることを具備し、受入通知を前記ネットワークに送る前記動作は、ページ応答メッセージを伝送することを具備し、追加メッセージを前記ネットワークに伝送する前記動作は、前記着呼及び前記放送のうちのいずれを選択するかを前記ページ応答メッセージと共に示すこと、及び、前記ページ応答メッセージにおいて前記いずれを選択するかを示すことを保留しさらに前記ネットワークからのチャネル割当てメッセージに応答して前記いずれを選択するかを示すこと、のうちの１つを具備する、請求項１７に記載の媒体。
【請求項１９】
無線通信ネットワークにおいて無線移動局を動作するための動作を実施するように構成されさらに相互に接続された複数の電導性素子を含む回路であって、前記動作は、
前記移動局がマルチユーザー順方向リンク放送チャネルを通じて放送コンテンツを受信中に遠隔局によって開始された着信ポイントツーポイントコールの通知をネットワークから受け取ることと、
前記着呼を受け入れるか又は拒否するかに関するオペレータの入力を要請することと、
前記オペレータが前記呼を拒否する場合は、拒否通知を前記ネットワークに送ることと、
前記オペレータが前記呼を受け入れる場合は、受入通知を前記ネットワークに送ることであって、（１）前記放送コンテンツの受信を続けるかどうか、及び（２）ネットワーク資源が前記ポイントツーポイントコール及び前記放送コンテンツを同時並行して実施することができない場合は前記ポイントツーポイントコール及び前記放送コンテンツのうちのいずれを選択するか、を少なくとも含む所定の動作条件に関する呼処理上の優先事項を決定することと、前記決定された呼処理上の優先事項を示した追加メッセージを前記ネットワークに送ることと、前記ポイントツーポイントコールを完了させる前記ネットワークからのシグナリングを待つこと、とを具備するさらなる動作を実施すること、とを具備する回路。
【請求項２０】
前記受け取る動作は、前記移動局がページングメッセージを前記ネットワークから受け取ることを具備し、受入通知を前記ネットワークに送る前記動作は、ページ応答メッセージを伝送することを具備し、追加メッセージを前記ネットワークに伝送する前記動作は、前記着呼及び前記放送のうちのいずれを選択するかを前記ページ応答メッセージと共に示すこと、及び、前記ページ応答メッセージにおいて前記いずれを選択するかを示すことを保留し、さらに前記ネットワークからのチャネル割当てメッセージに応答して前記いずれを選択するかを示すこと、のうちの１つを具備する、請求項１９に記載の回路。
【請求項２１】
無線通信システムにおいて使用するための無線移動局であって、
トランシーバと、
スピーカーと、
マイクと、
ユーザーインタフェースと、
前記トランシーバ、前記スピーカー、前記マイク、及び前記ユーザーインタフェースに結合されたマネージャであって、前記移動局がマルチユーザー順方向リンク放送チャネルを通じて放送コンテンツを受信中に遠隔局によって開始された着信ポイントツーポイントコールの通知をネットワークから受け取ることと、前記着呼を受け入れるか又は拒否するかに関するオペレータの入力を要請することと、前記オペレータが前記呼を拒否する場合は、拒否通知を前記ネットワークに送ることと、前記オペレータが前記呼を受け入れる場合は、受入通知を前記ネットワークに送ることであって、（１）前記放送コンテンツの受信を続けるかどうか及び（２）ネットワーク資源が前記放送コンテンツを同時並行して実施することができない場合は前記ポイントツーポイントコール及び前記放送コンテンツのうちのいずれを選択するかを少なくとも含む所定の動作条件カテゴリに関する呼処理上の優先事項を決定することと、前記決定された呼処理上の優先事項を示した追加メッセージを前記ネットワークに送ることと、前記ポイントツーポイントコールを完了させる前記ネットワークからのシグナリングを待つこと、とを具備する動作を実施するようにプログラミングされたマネージャと、を具備する無線移動局。
【請求項２２】
無線通信システムにおいて使用するための無線移動局であって、
信号を無線で送信及び受信するためのトランシーバ手段と、
電気的入力から音声出力を生成するためのスピーカー手段と、
音声入力から電気的出力を生成するためのマイク手段と、
人間による入力を機械によって読取可能な入力に変換しさらに機械によって読取可能な出力を人間によって読取可能な出力に変換するためのユーザーインタフェース手段と、
前記トランシーバ手段、前記スピーカー手段、前記マイク手段、及び前記ユーザーインタフェース手段に結合されたマネージャ手段であって、前記移動局がマルチユーザー順方向リンク放送チャネルを通じて放送コンテンツを受信中に遠隔局によって開始された着信ポイントツーポイントコールの通知をネットワークから受け取ることと、前記着呼を受け入れるか又は拒否するかに関するオペレータの入力を要請することと、前記オペレータが前記呼を拒否する場合は、拒否通知を前記ネットワークに送ることと、前記オペレータが前記呼を受け入れる場合は、受入通知を前記ネットワークに送ることであって、（１）前記放送コンテンツの受信を続けるかどうか、及び（２）前記放送コンテンツを同時並行して実施することができない場合は前記ポイントツーポイントコール及び前記放送コンテンツのうちのいずれを選択するか、を少なくとも含む所定の動作条件に関する呼処理上の優先事項を決定することと、前記決定された呼処理上の優先事項を示した追加メッセージを前記ネットワークに送ることと、前記ポイントツーポイントコールを完了させる前記ネットワークのシグナリングを待つこと、とを具備するさらなる動作を実施すること、とを具備する動作を実施するためのマネージャ手段と、を具備する無線移動局。
【請求項２３】
無線通信ネットワークの１つ以上の構成要素を動作させる方法であって、
無線移動局がマルチユーザー順方向リンク放送チャネルを通じて放送コンテンツを受信中に前記無線移動局及び遠隔の第三者の間で行われたポイントツーポイントコールの開始を受信する動作と、
（１）前記ポイントツーポイントコールを受信するかどうか（前記ポイントツーポイントコールが遠隔の第三者によって開始された場合）、（２）前記放送コンテンツを受信し続けるかどうか、及び（３）ネットワーク資源が前記ポイントツーポイントコール及び前記放送コンテンツを同時並行して実施することができない場合に前記ポイントツーポイントコール及び前記放送コンテンツのうちのいずれかを選択する、を少なくとも含む所定の動作条件カテゴリに関する移動局優先事項についての通知を前記移動局から受け取る動作と、
前記移動局の優先事項に従い、（１）前記ポイントツーポイントコールの完了を放棄するタスク、（２）ネットワーク資源が前記放送を続けることができるかどうかを考慮せずに前記ポイントツーポイントコールを完了させるタスク、（３）ネットワーク資源が前記ポイントツーポイントコール及び前記放送コンテンツを同時並行して実施することができる場合は前記ポイントツーポイントコールを完了させるタスク、及び（４）ネットワーク資源が前記ポイントツーポイントコール及び前記放送コンテンツを同時並行して実施することができない場合は前記放送コンテンツの受信を続けさらに前記ポイントツーポイントコールの完了を打ち切るタスク、のうちの１つのタスクを含む呼処理動作を実施する動作と、を具備する方法。
【請求項２４】
前記ネットワークが移動局優先事項の通知を前記移動局から受け取る前記動作は、前記いずれを選択するかをページ応答メッセージと共に前記移動局から受け取ること、及び、前記ネットワークが前記移動局にチャネル割当てメッセージを伝送したことに応答して前記移動局によって伝送されたメッセージにおいて前記いずれを選択するかを受け取ること、のうちの１つを具備する、請求項２３に記載の方法。
【請求項２５】
ネットワーク資源が前記ポイントツーポイントコール及び前記放送コンテンツを同時並行して実施することができる場合は前記ポイントツーポイントコールを完了させる前記動作は、前記放送コンテンツの受信を続けるために異なったマルチユーザー順方向リンク放送チャネル通信構成を利用するように前記移動局に指図することをさらに具備する、請求項２３に記載の方法。
【請求項２６】
前記所定の動作条件カテゴリは、ネットワーク資源が全番組を同時並行して実施することができない場合は複数の放送コンテンツ番組の中から選択することをさらに含む、請求項２３に記載の方法。
【請求項２７】
前記呼処理動作は、所定の状況下においては前記放送コンテンツを前記移動局に引き渡すために非共有チャネルの使用を開始することを具備する、請求項２３に記載の方法。
【請求項２８】
機械によって読取可能な命令を含みかつデジタルデータプロセッサによって実行可能な、無線通信ネットワークの１つ以上の構成要素を管理する動作を実施するためのプログラム、を有形に具体化させた信号保持媒体であって、前記動作は、
無線移動局がマルチユーザー順方向リンク放送チャネルを通じて放送コンテンツを受信中に前記移動局及び遠隔の第三者の間で行われたポイントツーポイントコールの開始を受信することと、
（１）前記ポイントツーポイントコールが遠隔の第三者によって開始された場合、前記ポイントツーポイントコールを受信するかどうか、（２）前記放送コンテンツを受信し続けるかどうか、及び（３）ネットワーク資源が前記ポイントツーポイントコール及び前記放送コンテンツを同時並行して実施することができない場合は前記ポイントツーポイントコール及び前記放送コンテンツのうちのいずれを選択するか、を少なくとも含む所定の動作条件カテゴリに関する移動局優先事項についての通知を前記移動局から受け取ることと、
前記ポイントツーポイントコールを受信しないことを優先することを前記通知が含んでいる場合は、前記ポイントツーポイントコールの完了を放棄することと、
前記ポイントツーポイントコールを受信することを優先することを前記通知が含んでいる場合は、（１）ネットワーク資源が前記放送を続けることができるかどうかを考慮せずに前記ポイントツーポイントコールを完了させるタスク、（２）ネットワーク資源が前記ポイントツーポイントコール及び前記放送コンテンツを同時並行して実施することができる場合は前記ポイントツーポイントコールを完了させるタスク、及び（３）ネットワーク資源が前記ポイントツーポイントコール及び前記放送コンテンツを同時並行して実施することができない場合は前記放送コンテンツの受信を続けさらに前記ポイントツーポイントコールの完了を打ち切るタスク、のうちの１つのタスクを実施すること、とを具備する信号保持媒体。
【請求項２９】
前記ネットワークが移動局優先事項に関する通知を前記移動局から受け取る動作は、前記いずれを選択するかをページ応答メッセージと共に前記移動局から受け取ること、及び、前記ネットワークが前記移動局にチャネル割当てメッセージを伝送したことに応答して前記移動局によって伝送されたメッセージにおいて前記いずれを選択するかを受け取ること、のうちの１つを具備する、請求項２８に記載の媒体
【請求項３０】
ネットワーク資源が前記ポイントツーポイントコール及び放送コンテンツを同時並行して実施することができる場合は前記ポイントツーポイントコールを完了させる前記動作は、前記放送コンテンツの受信を続けるために異なったマルチユーザー順方向リンク放送チャネル通信構成を利用するように前記移動局に指図することをさらに具備する、請求項２８に記載の媒体。
【請求項３１】
前記所定の動作条件カテゴリは、ネットワーク資源が全番組を同時並行して実施できない場合は複数の放送コンテンツ番組の中から選択することをさらに含む、請求項２８に記載の媒体。
【請求項３２】
前記呼処理動作は、所定の状況下においては前記放送コンテンツを前記移動局に引き渡すために非共有チャネルの使用を開始することを具備する、請求項２８に記載の媒体。
【請求項３３】
無線通信ネットワークの１つ以上の構成要素を管理するための動作を実施するように構成されさらに相互に接続された複数の電導性素子を含む回路であって、前記動作は、
無線移動局がマルチユーザー順方向リンク放送チャネルを通じて放送コンテンツを受信中に前記移動局および遠隔の第三者の間で行われたポイントツーポイントコールの開始を受信することと、
（１）前記ポイントツーポイントコールが遠隔の第三者によって開始された場合、前記ポイントツーポイントコールを受信するかどうか、（２）前記放送コンテンツを受信し続けるかどうか、及び（３）ネットワーク資源が前記ポイントツーポイントコール及び前記放送コンテンツを同時並行して実施することができない場合は前記ポイントツーポイントコール及び前記放送コンテンツのうちのいずれを選択するか、を少なくとも含む所定の動作条件カテゴリに関する移動局優先事項についての通知を前記移動局から受け取ることと、
前記ポイントツーポイントコールを受信しないことを優先することを前記通知が含んでいる場合は、前記ポイントツーポイントコールの完了を放棄することと、
前記ポイントツーポイントコールを受信することを優先することを前記通知が含んでいる場合は、（１）ネットワーク資源が前記放送を続けることができるかどうかを考慮せずに前記ポイントツーポイントコールを完了させるタスク、（２）ネットワーク資源が前記ポイントツーポイントコール及び前記放送コンテンツを同時並行して実施することができる場合は前記ポイントツーポイントコールを完了させるタスク、及び（３）ネットワーク資源が前記ポイントツーポイントコール及び前記放送コンテンツを同時並行して実施することができない場合は前記放送コンテンツの受信を続けさらに前記ポイントツーポイントコールの完了を打ち切るタスク、のうちの１つのタスクを実施すること、とを具備する回路。
【請求項３４】
無線通信ネットワークの構成要素であって、
入力／出力と、
デジタルデータ記憶装置と、
前記入力／出力及び前記記憶装置に結合されたプロセッサであって、無線移動局がマルチユーザー順方向リンク放送チャネルを通じて放送コンテンツを受信中に前記移動局及び遠隔の第三者の間で行われたポイントツーポイントコールの開始を受信することと、（１）前記ポイントツーポイントコールが遠隔の第三者によって開始された場合、前記ポイントツーポイントコールを受信するかどうか、（２）前記放送コンテンツを受信し続けるかどうか、及び（３）ネットワーク資源が前記ポイントツーポイントコール及び前記放送コンテンツを同時並行して実施することができない場合は前記ポイントツーポイントコール及び前記放送コンテンツのうちのいずれを選択するか、を少なくとも含む所定の動作条件カテゴリに関する移動局優先事項についての通知を前記移動局から受け取ることと、前記ポイントツーポイントコールを受信しないことを優先することを前記通知が含んでいる場合は、前記ポイントツーポイントコールの完了を放棄することと、前記ポイントツーポイントコールを受信することを優先することを前記通知が含んでいる場合は、（１）ネットワーク資源が前記放送を続けることができるかどうかを考慮せずに前記ポイントツーポイントコールを完了させるタスク、（２）ネットワーク資源が前記ポイントツーポイントコール及び前記放送コンテンツを同時並行して実施することができる場合は前記ポイントツーポイントコールを完了させるタスク、及び（３）ネットワーク資源が前記ポイントツーポイントコール及び前記放送コンテンツを同時並行して実施することができない場合は前記ポイントツーポイントコールの完了を打ち切るタスク、のうちの１つのタスクを実施すること、とを具備する動作を実施するようにプログラミングされたプロセッサと、を具備する構成要素。
【請求項３５】
無線通信ネットワークの構成要素であって、
入力／出力を行うための第１の手段と、
機械によって読取可能なデータを保存するための第２の手段と、
前記第１の手段及び前記第２の手段に結合されたプロセッサ手段であって、無線移動局がマルチユーザー順方向リンク放送チャネルを通じて放送コンテンツを受信中に前記移動局及び遠隔の第三者の間で行われたポイントツーポイントコールの開始を受信することと、（１）前記ポイントツーポイントコールが遠隔の第三者によって開始された場合、前記ポイントツーポイントコールを受信するかどうか、（２）前記放送コンテンツを受信し続けるかどうか、及び（３）ネットワーク資源が前記ポイントツーポイントコール及び前記放送コンテンツを同時並行して実施することができない場合は前記ポイントツーポイントコール及び前記放送コンテンツのうちのいずれを選択するか、を少なくとも含む所定の動作条件カテゴリに関する移動局優先事項についての通知を前記移動局から受け取ることと、前記ポイントツーポイントコールを受信しないことを優先することを前記通知が含んでいる場合は、前記ポイントツーポイントコールの完了を放棄することと、前記ポイントツーポイントコールを受信することを優先することを前記通知が含んでいる場合は、（１）ネットワーク資源が前記放送を続けることができるかどうかを考慮せずに前記ポイントツーポイントコールを完了させるタスク、（２）ネットワーク資源が前記ポイントツーポイントコール及び前記放送コンテンツを同時並行して実施することができる場合は前記ポイントツーポイントコールを完了させるタスク、及び（３）ネットワーク資源が前記ポイントツーポイントコール及び前記放送コンテンツを同時並行して実施することができない場合は前記放送の受信を続けさらに前記ポイントツーポイントコールの完了を打ち切るタスク、のうちの１つのタスクを実施すること、とを具備する動作を実施するためのプロセッサと、を具備する構成要素。
【発明の詳細な説明】
【技術分野】
【０００１】
本発明は、一般的には、マルチユーザー（「共有」）順方向リンク放送コンテンツを様々な放送チャネルで提供する無線通信ネットワークに関するものである。本発明は、より具体的には、放送コンテンツを受信中の移動局がポイントツーポイントコールを追加で受け取るか又はポイントツーポイントコールを追加で行う状況下において該ポイントツーコール及び／又は放送接続を適宜管理するための動作に関するものである。
【背景技術】
【０００２】
既知の多くの通信システムは、発信局から物理的に別個の着局に情報信号を送信するシステムである。これらの情報信号は、最初に、通信チャネルを通じて効率的に送信するのに適した形態に変換される。情報信号の変換（即ち、変調）は、結果的に得られた変調キャリアのスペクトルが通信チャネル帯域幅内に制限されるような形で該情報信号に従って搬送波という１つのパラメータを変化させることが関わっている。着局では、通信チャネルを通じて受信された変調搬送波から原情報信号が複製される。該複製は、一般的には、発信局によって採用された変調プロセスの逆のプロセスによって達成される。
【０００３】
変調は、１つの共通の通信チャネルを通じての複数の信号の多元接続（即ち、これらの信号を同時に送信及び／又は受信すること）も容易にする。多元接続通信システムは、共通の通信チャネルへの連続的なアクセスではなく相対的に短時間の断続的なサービスを要求する複数の加入者装置を含むことが非常に多い。当業においては、いくつかの多元接続技術、例えば、時分割多元接続（ＴＤＭＡ）、周波数分割多元接続（ＦＤＭＡ）、振幅変調多元接続（ＡＭ）、符号分割多元接続（ＣＤＭＡ）拡散スペクトル、等が既知である。多元接続通信システムは、無線又は有線のいずれでもよく、さらに、音声及び／又はデータを搬送することができる。
【０００４】
双方向多元接続無線通信システムにおいては、ユーザー間通信は、１カ所以上の基地局を通じて行われる。１つの例においては、第１の無線移動局のユーザーは、逆方向リンクで基地局にデータを伝送することによって第２の無線移動局の別のユーザーと通信する。該基地局は、該データを受け取り、必要な場合は、別の基地局に該データを転送する。究極的には、該データは、最後の基地局の順方向リンクで該第２の移動局に伝送される。「順方向」リンクとは、基地局から無線移動局にデータを伝送することであり、「逆方向」リンクとは、無線移動局から基地局にデータを伝送することである。多くの通信システムにおいては、順方向リンク及び逆方向リンクは、別個の周波数を利用する。
【０００５】
無線移動局のユーザー及びランドライン局（電話局）の別のユーザーの間でも通信を行うことができる。この場合には、基地局は、逆方向リンクで移動局からデータを受け取り、公衆交換電話網（ＰＳＴＮ）を通じてランドライン局にデータを転送する。さらに、通信は、反対方向でも行われる。
【０００６】
上記の無線通信サービスは、「ポイントツーポイント」通信サービス例である。対照的に、「放送」サービスでは、１カ所の中央局から複数の移動局（「マルチポイント」）に対して情報を引き渡す。放送システムの基本モデルは、ニュース、映画、スポーツ、又はその他の「コンテンツ」をユーザーに伝送する１カ所以上の中央局によって対応されるユーザー放送ネットワークを具備している。該モデルでは、各移動局が共通する放送順方向リンク信号をモニタリングする。さらに、中央局がコンテンツを確定させるため、ユーザーは一般的には中央局に対して通信し返さない。放送サービス通信システムの一般的用例は、テレビ、ラジオ、等である。これらの通信システムは、一般的には、非常に専門化されている。
【０００７】
最近における無線電話システムの発展に伴い、既存の無線電話インフラ（主にポイントツーポイント無線電話インフラ）を用いて放送サービスを追加提供することへの関心が高まってきている。この点に関しては、カリフォルニア州サンデイエゴに所在するクオルコム・コーポレーションがいくつかの重要な進歩を成し遂げている。参考として以下に示した特許出願では、無線電話ネットワークにおいて共有通信チャネルを用いて放送コンテンツを引き渡すことに関してクオルコムが成し遂げている様々な進歩について説明されている。すなわち、米国特許出願Ｎｏ．０９／９３３，９７８（出願日：２００１年８月２０日）"METHOD AND APPARATUS FOR SIGNALLING IN BROADCAST COMMUNICATIONS SYSTEM"（放送通信システムにおけるシグナリングのための方法及び装置）、米国特許出願Ｎｏ．１０／１９２，１３２（出願日：２００２年７月９日）"METHOD AND SYSTEM FOR MULTICAST SERVICE INITIATION IN A COMMUNICATION SYSTEM"（通信システムにおいてマルチキャストサービスを開始させるための方法及び装置）、米国特許出願Ｎｏ．０９／９３３，９１２（出願日：２００１年８月２０日）"METHOD AND SYSTEM FOR UTILIZATION OF AN OUTER DECORDER IN A BROADCAST SERVICES COMMUNICATIONS SYSTEM"（放送サービス通信システムにおいて外部デコーダを利用するための方法及びシステム）、米国特許出願Ｎｏ．０９／９３３，９７１（出願日：２００１年８月２０日）"METHOD AND APPARATUS FOR OVERHEAD MESSAGING IN A WIRELESS COMMUNICATION SYSTEM"（無線通信システムにおけるオーバーヘッドメッセージングのための方法及び装置）、米国特許出願Ｎｏ．１０／２７８，５１６（出願日：２００２年１０月２２日）"METHOD AND APPARATUS FOR COMMENCING SHARED OR INDIVIDUAL TRANSMISSION OF BROADCAST CONTENT IN A WIRELESS TELEPHONE NETWORK"（無線電話ネットワークにおいて放送コンテンツの共有伝送又は個々の伝送を開始させるための方法及び装置）、米国特許出Ｎｏ．１０／２７８，４８５（出願日：２００２年１０月２２日）"METHOD AND APPARATUS FOR SWITCHING BETWEEN SHARED AND INDIVIDUAL CHANNELS TO PROVIDE BROADCAST CONTENT SERVICES IN A WIRELESS TELEPHONE NETWORK"（無線電話ネットワークにおいて放送コンテンツサービスを提供するために共有チャネル及び個々のチャネルの間を切り換えるための方法及び装置）。上記の参考特許出願は、本出願明細書において参照することによって本出願明細書の中に組み入れられている。
【０００８】
上記の特許出願は、多くの点において満足すべきものであるが、無線放送システムに関してまだ完全に開発されていない１つの側面は、共有放送サービスを既に受信中である無線移動局が関わるポイントツーポイントコールを開始させることである。
【発明の概要】
【０００９】
本開示の１つの側面は、無線移動局がマルチユーザー順方向リンク放送チャネル（「共有」チャネル又は「放送マルチキャストサービス」（ＢＣＭＣＳ）チャネルとも呼ばれている）を通じて放送コンテンツを受信中に該無線移動局及び遠隔の第三者の間で開始されたポイントツーポイントコールを管理するための様々な方法及び装置に関するものである。移動局は、所定の動作条件カテゴリに関する優先事項（例えば、（１）放送コンテンツの受信を続けるかどうか、（２）ネットワーク資源がポイントツーポイントコール及び放送コンテンツを同時並行して実施することができない場合にポイントツーポイントコール及び放送コンテンツのうちのいずれを選択するか、等）をネットワークに通知する。さらに、これらの優先事項に従い、（１）ポイントツーポイントコールを実施し、放送の受信を中止させる、（２）ポイントツーポイントコールを実施し、放送の受信を続ける、及び（３）ポイントツーポイントコールを完了させるのを打ち切り、放送の受信を続ける、のうちのいずれか１つのモードで通信が実施される。
【００１０】
本発明の、性質、目標、及び利点は、添付図面を参照しつつ下記の発明を実施するための最良の形態に関する詳細な説明を検討することでさらに明確になる。
【図面の簡単な説明】
【００１１】
【図１】無線通信ネットワークにおけるいくつかのハードウエア構成要素及び相互接続を示したブロック図である。
【図２】典型的なデジタルデータ処理機を示したブロック図である。
【図３】典型的な信号保持媒体の平面図である。
【図４】無線移動局のハードウエア構成要素及び相互接続を示したブロック図である。
【図５Ａ】移動局の動作状態を例示した概略的状態図である。
【図５Ｂ】アイドル状態中に移動局及び基地局の間で交換される複数の異なったメッセージを例示したブロック図である。
【図５Ｃ】アクセス状態中に移動局及び基地局の間で交換される複数の異なったメッセージを例示したブロック図である。
【図５Ｄ】トラフィック状態中に移動局及び基地局の間で交換される複数の異なったメッセージを例示したブロック図である。
【図６】典型的放送システムパラメータメッセージ（ＢＳＰＭ）のコンテンツを例示した図である。
【図７】放送コンテンツを受信中の移動局がポイントツーポイントコールを追加受信するか又はポイントツーポイントコールを追加で行う状況下においてポイントツーポイントコール及び放送接続を管理するための全体的な動作を例示した流れ図である。
【図８】移動局が放送コンテンツを既に受信中であるときに該移動局が発信ポイントツーポイントコールを処理する動作を例示した流れ図である。
【図９】移動局が放送コンテンツを既に受信中であるときに該移動局が着信ポイントツーポイントコールを処理する動作を例示した流れ図である。
【図１０】ネットワークがポイントツーポイントコール及び放送コンテンツの引渡しを管理する動作を例示した流れ図である。
【発明を実施するための形態】
【００１２】
ハードウエア構成要素及び相互接続
無線通信システム
典型的な放送システムモデルにおいては、ニュース、映画、スポーツ行事、等の放送コンテンツを伝送する１カ所以上の基地局が数多くの移動局に対応する。図１は、本開示の様々な実施形態に基づいた高速放送サービス（ＨＳＢＳ）を実施することができる通信システム１００のブロック図である。
【００１３】
放送コンテンツは、１台以上のコンテンツサーバー（ＣＳ）１０２が起点になる。コンテンツサーバー１０２は、パケットフォーマット化された（又はその他のフォーマット化された）放送コンテンツをインターネットプロトコル（ＩＰ）接続１０４又はその他の（図示していない）非ＩＰネットワーク若しくは直接接続を通じて放送パケットデータサービングノード（ＢＰＤＳＮ）１０６に引き渡すための１台以上のデジタルデータ処理機（例えば、パソコン、コンピュータワークステーション、メインフレームコンピュータ、コンピュータネットワーク、マイクロプロセッサ、又はその他の計算装置、等）を具備する。実装方法に依存するが、ノード１０６は、無線テレフォニーにおいてよく知られている型のパケットデータ交換ノード（ＰＤＳＮ）と同じハードウエア又は異なったハードウエアを利用することができる。ノード１０６は、各パケットの行先に応じて、該当するパケット制御機能（ＰＣＦ）モジュール１０８に該パケットを引き渡す。各モジュール１０８は、高速放送サービスの引渡しに関連する基地局１１０の様々な機能を制御する。その他の機能として、モジュール１０８は、放送パケットを基地局１１０に転送する。各モジュール１０８は、無線テレフォニーにおいてよく知られている型の基地局コントローラと同じハードウエア又は異なったハードウエアを利用することができる。
【００１４】
基地局１１０は、放送コンテンツ及び従来の無線電話による呼を移動局（ＭＳ）１１４に引き渡す。基地局１１０は、今日において商業的に使用されている従来の基地局によって用いられるハードウエア等のハードウエアを用いて実装することができる。
【００１５】
典型的デジタルデータ装置
データ処理エンティティ（例えば、基地局、移動局、構成要素１０２、１０６、１０８、１１０、１１４、又はその１つ以上の副構成要素、等）は、様々な形態で実装することができる。１つの例は、デジタルデータ処理装置であり、例えば図２のデジタルデータ処理装置２００のハードウエア構成要素及び相互接続を挙げることができる。
【００１６】
装置２００は、記憶装置２０４に結合されたプロセッサ２０２（例えば、マイクロプロセッサ、パソコン、ワークステーション、コントローラ、マイコン、ステートマシン、又はその他の処理機）を含む。本例においては、記憶装置２０４は、高速アクセス記憶装置２０６、及び不揮発性記憶装置２０８を含む。高速アクセス記憶装置２０６は、ランダムアクセスメモリ（ＲＡＭ）を具備することができ、さらに、プロセッサ２０２によって実行されたプログラミング命令を保存するために使用することができる。不揮発性記憶装置２０８は、例えば、電池バックアップＲＡＭ、ＥＥＰＲＯＭ、フラッシュＰＲＯＭ、１つ以上の磁気データ記憶ディスク（例えば、「ハードドライブ」）、テープドライブ、又はその他の適切な記憶デバイス、等を具備することができる。さらに、装置２００は、プロセッサ２０２が装置２００の外部のその他のハードウエアとデータを交換するための入力部／出力部２１０（例えば、ライン、母線、ケーブル、電磁リンク、又はその他の手段）も含む。
【００１７】
上記の特定の説明にもかかわらず、（本発明の便益を有する）当業者は、上述した装置は本発明の適用範囲を逸脱せずに異なった構造の機械において実装できることを認識することになる。１つの具体例として、構成要素２０６及び２０８のうちの１つは取り除くことができる。さらに、記憶装置２０４、２０６、及び／又は２０８は、プロセッサ２０２に搭載することができ、さらには装置２００の外部に装備することさえもできる。
【００１８】
論理回路
本発明の１つの異なった実施形態においては、上述したデジタルデータ処理装置とは対照的に、上述した処理エンティティ等の様々な処理エンティティを実装するために、コンピュータによって実行される命令の代わりに論理回路を使用する。この論理は、何千個もの非常に小型の集積トランジスタを有する特定用途向け集積回路（ＡＳＩＣ）を構築することによって実装することができ、速度、費用、ツーリングコスト、等の分野における特定の要求事項に依存する。該ＡＳＩＣは、ＣＭＯＳ、ＴＴＬ、ＶＬＳＩ、又はその他の適切な構造とともに実装することができる。その他の代替方法は、デジタル信号処理チップ（ＤＳＰ）、ディスクリート回路（抵抗器、コンデンサ、ダイオード、誘導子、トランジスタ、等）フィールドプログラマブルゲートアレイ（ＦＰＧＡ）、プログラマブルロジックアレイ（ＰＬＡ）、プログラマブル論理素子（ＰＬＤ）、等を含む。
【００１９】
無線電話
図４は、無線電話４００を描くことによって典型的移動局１１４の構造をさらに詳細に例示した図である。電話４００は、スピーカー４０８、ユーザーインタフェース４１０、マイク４１４、トランシーバ４０４、アンテナ４０６、マネージャ４０２、及び、用途に依存して異なるその他の従来の回路を含む。マネージャ４０２は、図２を参照して説明した回路（上記）等の回路を具備することができ、構成要素４０４、４０８、４１０、及び４１４の動作、並びにこれらの構成要素間における信号経路指定、を管理する働きをする。
【００２０】
無線電話４００を例示してあるが、移動局１１４は、移動型又は静止型のいずれでもよい。さらに、移動局は、無線チャネルを通じて又は（例えば光ファイバ又は同軸ケーブルを用いた）有線チャネルを通じて通信するデータデバイスを具備することができる。移動局は、無線電話及び有線電話に加えて（又はこれらの電話の代わりに）、その他の様々なデバイス（例えば、ＰＣカード、コンパクトフラッシュ（登録商標）、外部モデム、内部モデム、等であるが、これらのデバイスに限定するものではない）を実装するように構成することができる。
【００２１】
動作
これまでは、本開示の様々な構造上の特長について説明したが、次に、本開示の一部の動作上の側面について説明する。上述したように、本開示の１つの動作上の側面は、マルチキャスト放送プログラムを受信中の移動局がポイントツーポイントコールを追加受信するか又はポイントツーポイントコールを追加で行う状況下においてポイントツーポイントコール及び／又は共有放送接続を管理することを含む。
【００２２】
信号保持媒体
機械によって実行される１つ以上のプログラムシーケンスを用いて本開示の機能を実装させる場合は常に、該シーケンスは、様々な形態の信号保持媒体を用いて実現させることができる。図２において、該信号保持媒体は、例えば、プロセッサ２０２によって直接又は間接的にアクセス可能な記憶装置２０４又はその他の信号保持媒体（例えば、磁気データ記憶ディスケット３００）（図３）を具備することができる。命令は、記憶装置２０６、ディスケット３００、又はその他のいずれに内蔵されているかにかかわらず、機械によって読取可能な様々なデータ記憶媒体に保存することができる。一部の例として、直接アクセス記憶装置（例えば、従来の「ハードドライブ」、安価なディスクの冗長アレイ（ＲＡＩＤ）、又はその他の直接アクセス記憶装置（ＤＡＳＤ）、順次アクセス記憶装置（例えば、磁気テープ、光学テープ、等）、電子不揮発性メモリ（例えば、ＲＯＭ、ＥＰＲＯＭ、フラッシュＰＲＯＭ、ＥＥＰＲＯＭ、等）、電池バックアップＲＡＭ、光学記憶装置（例えば、ＣＤ−ＲＯＭ、ＷＯＲＭ、ＤＶＤ、デジタル光学テープ、等）、紙の「パンチ」カード、又はその他の適切な信号保持媒体（アナログ伝送媒体、デジタル伝送媒体、アナログリンク、通信リンク、及び無線通信を含む）等がある。本発明の１つの例示的実施形態においては、機械で読み取り可能な命令は、アセンブリ語、Ｃ、等の言語でコンパイルされたソフトウエアオブジェクトコードを具備することができる。
【００２３】
論理回路
上述した信号保持媒体とは対照的に、本開示の機能の一部又は全部は、プロセッサを用いて命令を実行する代わりに論理回路を用いて実装することができる。このため、これらの論理回路は、本発明の方法上の側面を実行する動作を実施するように構成されている。さらに、該論理回路は、上述したように、数多くの異なった型の回路を用いて実装することができる。
【００２４】
移動局−呼モデル
各移動局１１４は、図５Ａの概略的状態図５６０に従って動作する。アイドル状態５６２においては、移動局は、以下においてさらに詳細に説明してある共有ページングチャネル及び共有オーバーヘッドチャネルをモニタリングする。これらのチャネルは、すべての基地局が範囲内のすべての移動局にこれらのチャネルを一斉に同報通信するという意味で共有されている。概説すると、共有ページングチャネルは、着信呼を移動局に通知するチャネルであり、共有オーバーヘッドチャネルは、様々なシステム関連情報を提供するチャネルである。アイドル状態５６２においては、移動局は、１つ以上の共有放送チャネルを通じて、マルチキャスト放送コンテンツを基地局から追加受信することができる。アイドル状態５６２においては、移動局の送信機はスイッチが切られた状態になっている。
【００２５】
１つの事例においては、移動局が登録メッセージを伝送して移動局の存在、身元、特徴、等を付近の基地局に連絡時に、アイドル状態５６２からアクセス状態５６４への移行５６３が行われる。この事例においては、アクセス状態５６４は、登録メッセージ後にアイドル状態５６２に再び戻る。
【００２６】
もう１つの状況においては、移動局又は別の当事者がポイントツーポイントコールを確立中にアイドル状態５６２からアクセス状態５６４への移行５６３が行われる。１つの例として、別の当事者がこのポイントツーポイントコールを開始した場合には、移動局は、共通ページングチャネルを通じてページングメッセージを受け取る。移動局が共通の「アクセス」チャネルを通じてページを応答後、移動局は、該ポイントツーポイントコールを行うトラフィックチャネルの割当てを受ける。さらに、移動局は、該アクセスチャネルを通じて該当するメッセージを送り、次に同じ方法でチャネル割当てを受けることによって発呼を開始させる。
【００２７】
着呼又は発呼が最終的に伝送されて移動局及び基地局がトラフィックチャネルを通じての通信を開始すると、アクセス状態５６４からトラフィック状態５６６への移行５６５が行われる。トラフィック状態５６６においては、移動局は、個々のトラフィックチャネルを利用して別の当事者とのポイントツーポイントコール通信を行う。新たに開始されたポイントツーポイントコールは、後述するように、音声、データ、さらには放送コンテンツ情報さえも伝送することができる。ポイントツーポイントコールが放送コンテンツを搬送する場合は、移動局がそれ以前にアイドル状態５６２において受信中であった共有放送にとって代わる。
【００２８】
ポイントツーポイントコールがいずれかの当事者によって終了されたとき又はその他の方法で接続が切断されたときに、トラフィック状態５６６からアイドル状態５６２への移行５６７が再び発生する。移行５６７は、ポイントツーポイントコールを行うために使用されたトラフィックチャネルの解放を含む。このポイントツーポイントコールが放送コンテンツを含んでいた場合は、オプションとして、移行５６７後に、アイドル状態５６２において共有チャネルを通じての放送コンテンツの引渡しが再開されるようにすることができる。
【００２９】
チャネル
図５Ｂ乃至５Ｄは、上述したアイドル状態中、アクセス状態中、及びトラフィック状態中に移動局及び基地局の間で情報を中継するために用いられる主通信チャネルのうちの一部を示した図である。本開示の放送チャネルは、データ、音声、映像、又はその他のあらゆる希望するコンテンツを中継するために利用することができる。
【００３０】
「通信チャネル／リンク」は、前後関係に応じて物理チャネル又は論理チャネルを指している。「物理チャネル」は、信号が伝播する通信経路であり、変調上の特性及び符号化に関して記述される。「論理チャネル」は、基地局又は移動局のプロトコルレイヤ内における通信経路である。「逆方向チャネル／リンク」は、移動局が基地局に信号を送るときの通信チャネル／リンクである。「順方向チャネル／リンク」は、基地局が移動局に信号を送るときの通信チャネル／リンクである。
【００３１】
アイドル状態
図５Ｂは、アイドル状態５６２に関する図である。基地局５０４は、移動局５０２及び該基地局が対応中であるその他のすべての移動局が受け取るためのオーバーヘッドチャネル５０５を伝送する。オーバーヘッドチャネル５０５は、定期的に繰り返されるシステム情報（例えば、近隣の基地局に関する情報）、アクセス情報（例えば、推奨される電力レベル、メッセージの最大の大きさ、等）、及びシステムパラメータ（例えば、製品改訂レベル、サポートされている機能、等）を含んでいる。ＣＤＭＡ−２０００システムにおいては、オーバーヘッドチャネル５０５は、順方向放送制御チャネル（Ｆ＿ＢＣＣＨ）を具備することができる。
【００３２】
１つの例として、オーバーヘッドチャネル５０５のコンテンツは、共有チャネル及び／又は個々のチャネルを通じて入手可能な各々異なった放送番組を指定する放送システムパラメータメッセージ（ＢＳＰＭ）を含むことができる。「番組」とは、ＣＮＮニュース、ＥＳＰＮ、又は気象情報等の１つの特定の放送コンテンツの流れである。ＢＳＰＭは、基地局の共有チャネルの各々において入手できる番組（及び周波数又はその他のチャネルアイデンティティ）、及び、個々のチャネルにおいて入手できる番組（個々のチャネルにおいてサービスを確定時に特定の周波数が決定される）を示すメッセージである。また、以下において図６を参照してさらに詳細に説明してあるように、ＢＳＰＭは、その他のいくつかの情報も含んでいる。
【００３３】
基地局５０４は、該基地局が対応中のすべての移動局が受け取るための共有ページングチャネル５０６を伝送する。基地局５０４によって対応されるすべての移動局は、ページングチャネル５０６をモニタリングしており、このため、ポイントツーポイントコール又はその他の情報が到着時に機敏に対応することができる。ＣＤＭＡ−２０００においては、順方向制御チャネル（Ｆ＿ＣＣＣＨ）がページングチャネル５０６の典型的な例である。
【００３４】
共有放送チャネル５０８は、基地局５０４の網羅範囲内にある移動局が使用するために基地局５０４が伝送する潜在的に数多くの共有放送サブチャネル（並行チャネル）を含んでいる。概して、通信システム１００は、高速データ伝送能力を備えておりさらに非常に多数の移動局が受信するのに適している「順方向放送補足チャネル」（Ｆ＿ＢＳＣＨ）を利用することによって高速放送サービスを可能にする。該高速放送補足チャネルは、例えば、放送トラフィックを搬送する単一の順方向リンク物理チャネルを具備する。該単一の順方向放送共有チャネル内では、１つ以上の高速順方向放送サービスチャネルが時分割多重化される。このため、チャネル５０８は、多数の異なった放送番組を同時並行して搬送することができる。
【００３５】
共有放送チャネル５０８は、全移動局が自由に利用できるようにすることが可能であり、他方、いくつかの登録ステップを完了させている移動局のみに制限するようにすることも可能である。チャネル５０８は、網羅範囲内の全移動局に例外なく同報通信されるため、究極的には、これらの移動局が、ユーザーが放送にアクセスできるかどうかを、該ユーザーが登録済みであるかどうかに基づいて管理する。１つの例として、各共有放送チャネルを所定の符号で暗号化し、登録済みの移動局のみに該符号を提供するようにすることができる。
【００３６】
参考として挙げた以下の特許出願では放送サービスに登録するための仕組みについて説明されており、これらの特許出願は、本出願明細書において参照することによってその全体が本出願明細書の中に組み入れられている。即ち、米国特許出願Ｎｏ．０９／９３４，０２１（出願日：２００２年８月２０日）"METHOD AND APPARATUS FOR OUT OF BAND TRANSMISSION OF BROADCAST SERVICE OPTION IN A WIRELESS COMMUNICATION SYSTEM"（無線通信システムにおける放送サービスオプションの帯域外伝送のための方法及び装置）。上記の特許出願においては、共有放送チャネル５０８は、順方向放送補足チャネル（Ｆ＿ＢＳＣＨ）と呼ばれている。
【００３７】
アクセス状態
図５Ｃは、アクセス状態５６４に関する図である。移動局５０２は、オーバーヘッドチャネル５０５、ページングチャネル５０６、及び共有放送チャネル５０８の受信を続ける。共有アクセスチャネル５２２は、基地局５０４が対応している全移動局によって使用される。ポイントツーポイントコールを開始させる際には、アクセスチャネル５２２は次の２通りの方法で使用することができる。着呼の場合は、移動局５０２は、別の移動局が移動局５０２に対するポイントツーポイントコールを開始中にページに応答するためにアクセスチャネル５２２を使用する。発呼の場合には、移動局５０２は、ポイントツーポイントコールの開始を要求するためにアクセスチャネル５２２を使用する。ＣＤＭＡ−２０００プロトコルにおいては、逆方向アクセスチャネル（Ｒ＿ＡＣＨ）がアクセスチャネル５２２の典型的な例である。
【００３８】
移動局５０２は、ポイントツーポイントコールの開始に加えて、登録メッセージを時折伝送するためにアクセスチャネル５２２を使用することができる。この機能は、移動局５０２の所在場所及びその他の関連情報を無線ネットワークに伝えるのに役立つ。アクセス状態５６４において登録メッセージ又はその他の同様のメッセージが発生している場合は、移動局５０２は、トラフィック状態５６６に入らずにアイドル状態５６２に戻る。
【００３９】
トラフィック状態
図５Ｄは、トラフィック状態５６６に関する図である。この状態においては、トラフィックチャネル５５２及び５５４は、移動局５０２及び基地局５０４の間における双方向ポイントツーポイントコールデータ伝送を協力して行う。チャネル５５２及び５５４は、移動局５０２が個別に使用するための専用チャネルである。順放送トラフィックチャネル５５２「論理」チャネルは、並列物理チャネル（トラフィック−コンテンツチャネル５５２ａ、トラフィック−シグナリングチャネル５５２ｂ、等）を含む。トラフィック−コンテンツチャネル５５２ａは、基地局５０４から移動局５０２に運ばれたコンテンツ（音声情報、データ、等）を搬送する。トラフィック−シグナリングチャネル５５２ｂは、シグナリング情報（ハウスキーピング、等）、メタデータ、システム情報）、及びチャネル５５２ａ及び／又はそのコンテンツについて記述したその他の情報を搬送する。１つの代替実施形態においては、チャネル５５２ａ及び５５２ｂは、既述した並列チャネルではなく互いに無関係のチャネルにすることができる。逆方向トラフィックチャネル５５４は、チャネル５５２と反対方向の通信を行う並列のトラフィックコンテンツチャネル５５４ａトラフィックシグナリングチャネル及び５５４ｂも含む。
【００４０】
トラフィック状態においては、アクセス、オーバーヘッド、及びページングに関する情報は専用シグナリングチャネル５５２ｂ及び５５４ｂを通じて搬送されたるため、移動局は、アクセスチャネル５２２、オーバーヘッドチャネル５０５、及びページングチャネル５０６を使用しない。
【００４１】
トラフィック状態５６６中には、移動局５０２は、放送コンテンツを受信し続けることができる。しかしながら、ポイントツーポイントコール５５２／５５４と同時並行した放送コンテンツの引渡しは、必ず、共有チャネル５０８ではなく個々のポイントツーポイントチャネル５５６を通じて行われる。この主な理由は、移動局が適切に動作するために必要なシグナリング手順及び制御手順がアイドルチャネルとトラフィックチャネルの間で非常に大きく異なっており、このため、移動局はいずれの所定の時点においてもこれらの２つの状態のうちの１つの状態にしかなることができないためである。従って、トラフィックチャネル５５２及び５５４を使用中には、該使用時間中における放送情報の交換は、必ずトラフィックチャネル５５６において行われ、コンテンツは５５６ａにおいて及びシグナリングは５５６ｂにおいて行われる。
【００４２】
一般的には、ポイントツーポイントコールに適しているあらゆる順方向リンクチャネルを個々の放送チャネル５５６として使用することができる。より具体的ないくつかの選択肢を次に示す。即ち、ＣＤＭＡ−２０００を例として用いた場合における１つの選択肢は、１４．４Ｋｂ／秒を提供する、順方向基本チャネル（Ｆ＿ＦＣＨ）又は順方向専用制御チャネル（Ｆ＿ＤＣＣＨ）である。もう１つの選択肢は、最高１Ｍｂ／秒のサービスを提供する順方向補足チャネル（Ｆ＿ＳＣＨ）である。これよりもさらに高速の選択肢は、最高２．４Ｍｂ／秒のさらに高速のサービスを提供する順方向パケットデータチャネル（Ｆ＿ＰＤＣＨ）である。
【００４３】
移動局５０２が単一の基地局としか通信しないアイドル状態５６２及びアクセス状態５６４とは異なり、トラフィック状態における移動局５０２は、ソフトハンドオフを行うこと、信号冗長性を得ること、又はその他の最終目標を達成させることを目的として、トラフィック情報、放送コンテンツ情報及びシグナリング情報の交換を多数の基地局と同時並行して行うことができる。このため、（本発明の便益を有する）当業者は、本開示において１カ所の「基地局」を引用しているのは説明を単純化及び容易にするためであることを認識することになる。トラフィック状態の移動局は、多数の基地局と同時並行して通信することができる。
【００４４】
さらに、移動局５０２が多数の双方向電話会話をトラフィックチャネル５５２及び５５４において同時に行うための技術は既知である。これらの技術は、例えば、複数の異なったデータ流を時間多重化して１つの所定のチャネルが２つ以上のデータ流を搬送できるようにすることを含む。本開示は、同様の技術を利用することによって、移動局５０２が個別チャネル５５６を通じて多数の同時並行した放送番組を受信することを企図している。
【００４５】
追加情報
（１）ＩＳ＿２０００．２という名称のＣＤＭＡ２０００物理レイヤ規格、及び（２）米国特許出願Ｎｏ．０９／９３３，９７８（出願日：２００１年８月２０日）"METHOD AND APPARATUS FOR SIGNALLING IN BROADCAST COMMUNICATION SYSTEM"（放送通信システムにおけるシグナリングのための方法及び装置）では、高速放送サービスおいて使用される物理チャネル及び論理チャネルについてのさらに詳細な説明が行われており、本出願明細書においてこれらの参考文献及び特許出願を参照することによって本出願明細書に組み入れられている。さらに、共通チャネル及び専用チャネルを情報放送のために使用することが、"METHOD AND APPARATUS FOR GROUP CALLS USING DEDICATED AND COMMON CHANNELS IN WIRELESS NETWORKS"（無線ネットワークにおいて専用チャネル及び共通チャネルを用いたグループ呼のための方法及び装置）という題名の特許出願Ｎｏ．６０／２７９，９７０（出願日：２００１年３月２８日）において開示されており、本出願明細書において参照することによって本出願明細書に組み入れられている。
【００４６】
ＢＳＰＭ
上述したように、同報通信能力を備えた各基地局は、オーバーヘッドチャネル５０５を通じて、該基地局の入手可能な放送コンテンツ及び関連情報を移動局に知らせるための代表的なＢＳＰＭを繰り返し同報通信する。図６は、対象となる基地局に関する典型的なＢＳＰＭ６００のコンテンツを示した図である。同図では、理解しやすくするために表形式で表してあるが、ＢＳＰＭは、実際には、ヘッダ、トレーラー、パケット情報、又は、無線放送に適したその他のメタデータとフォーマッティングを含む信号流を具備する。
【００４７】
図６に示したように、ＢＳＰＭ６００は、各々が１つの異なった情報カテゴリを表している様々なカラムを含んでいる。カラム６００は、チャネルコンテンツ、即ち該チャネルの「放送番組」を記載したカラムである。カラム６０６は、該当する基地局が、個々のチャネルで対象番組を提供するようにプログラミングされているかどうか、個々のチャネルで対象番組を提供するように構成されているかどうか、又は、個々のチャネルで対象番組を提供する能力をその他の形で備えているかどうか（即ち、対象番組が個々のチャネルを通じて「入手可能」であるかどうか）を示している。
【００４８】
カラム６０８は、対象基地局が対象番組を共有チャネルで提供するための装備を有しているかどうか（即ち、共有チャネルを通じて対象番組を基地局から「入手可能」であるかどうか）を示している。カラム６０４は、対象番組を放送するために用いられる共有チャネルの様々な特性（例えば、ウォルシュ符号、変調型、ビタビ符号化、データ速度、誤り訂正、等）を示している。カラム６０９は、対象番組を放送するために用いられる共有チャネルのアイデンティティ（該当する場合）、即ち、対象基地局によって使用される論理周波数及び／又は物理的帯域幅、を示している。さらに、カラム６１０は、基地局が共有チャネル６０９を通じて対象番組を現在伝送中であるかどうかを示している。
【００４９】
ＢＳＰＭは、拡大してその他の様々な情報を含めるようにすること、及び、短縮して上記のいくつかの情報を除外することができる。例えば、基地局は、ＢＳＰＭ６００を短縮してオーバーヘッドチャネル５０５における帯域幅を節約するために、要求があったときにチャネルアイデンティティ６０９を提供するようにすることができる。同様に、移動局は、基地局が共有チャネルを通じて特定の番組を伝送中であるかどうかを試行錯誤によって決定するため、「現在伝送中の」カラム６１０は省略することができる。
【００５０】
さらに、後述するように、ＢＳＰＭは、全体を省略することができる。もう１つの選択肢として、ＢＳＰＭのコンテンツは、放送サービスが一般的に入手可能であることを示すフラグ（図示していない）だけにし、移動局が照会時に基地局からさらなる情報を入手できるようにすることが可能である。
【００５１】
全体的動作
図７は、ある１カ所の移動局が共有放送チャネルを通じて放送番組を既に受信中に該移動局によって開始された（又は該移動局に対して行われた）ポイントツーポイントコールの処理に関する無線通信システムの全体的な動作を表したシーケンス７００を示した図である。以下では、説明を容易にするために、但し限定することを意図することなしに、上述した図１乃至６の構成要素と共にシーケンス７００について説明する。
【００５２】
参照を容易にするため、図７（及び図８乃至１０）は、「移動局」（移動局は、モバイル、加入者局、無線電話、又は、その他の名前で呼ぶことができ、前後関係に依存する）によって行われる様々な動作を例示した図である。さらに、これらの図は、「ネットワーク」（無線通信システムのネットワーク施設、１カ所以上の基地局、又は、通信システムのソフトウエア及び／又はハードウエアインフラの別の１つ以上の構成要素を指している）によって行われるその他の動作も例示している。
【００５３】
ステップ７０２においては、無線移動局及び遠隔の第三者の間でポイントツーポイントコールが開始される。このポイントツーポイントコールの開始は、該無線移動局がマルチユーザー順方向リンク放送チャネルを通じて放送コンテンツを既に受信中に発生する。さらに、このポイントツーポイントコールは、該移動局が開始させること（着呼）又は遠隔の第三者が該移動局に呼を行うこと（発呼）によって開始させることができる。
【００５４】
ステップ７０４では、（１）放送コンテンツの受信を続けるかどうか、及び（２）ネットワーク資源がポイントツーポイントコール及び放送コンテンツを同時並行して実施することができない場合にポイントツーポイント及び放送コンテンツのうちのいずれを選択するか、を少なくとも含む所定の動作条件カテゴリに関する優先事項を確認する。着呼の場合は、該カテゴリは、着信中のポイントツーポイントコールを受信するかどうかも含んでいる。１つの選択肢として、もう１つの所定の動作条件カテゴリは、ネットワーク資源がすべての番組を同時並行して実施することができない場合に複数の番組の中からいずれかの番組を選択することを含めることができる。例えば、ＥＳＰＮ、等よりもＣＮＮ放送を優先させることができる。
【００５５】
例示した実施形態においては、ステップ７０４は、移動局によって実施され、移動局は、人間のオペレータへの問い合わせ、予め保存されている優先事項の参照、ディフォルト時選択肢の利用、これらの手段の組合せ又はその他の手段を行う。さらに、この実施形態においては、移動局は、優先事項を無線ネットワークに通知する。代替実施形態においては、移動局の優先事項の一部又は全部をネットワークに予め保存することによって、移動局がこれらの優先事項をネットワークに通知する必要がないようにすることができる。予めの保存は、あらゆる状況に関して指定すること、ある一定の時間に関して指定すること、いくつかの呼又は電話番号に関して指定すること、又はその他のあらゆる事柄に基づいて指定することができる。
【００５６】
ステップ７０６は、優先事項に従って実施され、（１）ポイントツーポイントコールを実施し、放送の受信を中止させる、又は（２）ポイントツーポイントコールを実施し、放送の受信を続ける、のうちのいずれかのモードで通信が行われる。着呼の場合は、これらのモードは、着信中のポイントツーポイントコールを完了させるのを打ち切りさらに放送の受信を続けることも含まれる。例示した実施形態においては、ステップ７０６は、移動局と通信中の主基地局によって実施され、ステップ７０６は、（１）放送の継続を考慮せずにポイントツーポイントコールを完了させる（移動局の優先事項が放送を中止させることである場合）、（２）ネットワーク資源がポイントツーポイントコール及び放送コンテンツを同時並行して実施することができる場合はポイントツーポイントコールを完了させる（移動局の優先事項が放送ではなくポイントツーポイントコールを選択することを含んでいる場合）、及び（３）ネットワーク資源がポイントツーポイントコール及び放送コンテンツを同時並行させることができない場合にポイントツーポイントコールの完了を打ち切る（移動局の優先事項がポイントツーポイントコールではなく放送を選択することを含む場合は）、のうちのいずれか１つの動作を含んでいる。着呼の場合において、呼を受け取らないことが優先事項であることを移動局が示している場合には、基地局が該呼の完了を打ち切りさらに移動局による放送の受信継続を許可するようにすることも可能である。
【００５７】
典型的メッセージコード
様々なＣＤＭＡ通信システム（ＣＤＭＡ−２０００、等）において、移動局及びネットワークは、標準的な意味を有する様々なメッセージ（例えば、発信メッセージ、登録メッセージ、ページ応答メッセージ、及びその他の数多くのメッセージ）を用いて通信する。開示したシステムの１つの具体的な実施形態についてさらに詳細に説明すると（但し、限定することを意図するものではない）、様々なメッセージコードを利用してこれらの標準メッセージを補足する。メッセージコードは、相互に関連するパケットデータとともに含めること、ヘッダ又はその他のメタデータの中に組み込むこと、又は、その他の方法でキャリヤメッセージとともに実装することができる。１つの代替実施形態においては、メッセージコードは、スタンドアロンメッセージ自体として伝送される。又、一部のメッセージコードは、移動局からネットワークに送られたメッセージとともに使用され、その他のメッセージコードは、ネットワークから移動局に送られたメッセージとともに使用される。メッセージコードの値、例えば、“０”又は“１”が含まれているかぎりにおいて、相対位置又はメッセージコード値に固有のその他の情報からメッセージコードの型が明らかである場合は、メッセージコード自体の名前を省略することができる。例えば、メッセージコード及び値“ＢＣＭＣＳ＿ＲＥＱ＝１”は、明確な形で個別に配置されている場合には簡略化して値“１”にすることができる。以下では、いくつかの典型的なメッセージコード及びその値について説明する。
【００５８】
ＢＣＭＣＳ＿ＲＥＱ
このメッセージコードは、着呼を受け入れるメッセージ（ページ応答メッセージ、等）と共に又は発呼を行うメッセージ（発信メッセージ、等）と共に移動局によって伝送される。“１”の値は、開始中であるポイントツーポイントコールと同時並行した共有放送を移動局が要求することを意味しており、他方、“０”の値は、移動局が同時並行共有放送を要求しないことを意味している。
【００５９】
ＢＣＭＣＳ＿ＲＥＱ＿ＰＲＩＯＲＩＴＹ
このメッセージコードは、ＢＣＭＣＳ＿ＲＥＱと同様に、ポイントツーポイントコールを行うメッセージ又はポイントツーポイントコールを受け入れるメッセージと共に移動局によって伝送される。このメッセージコードの値は、ネットワーク資源が放送及びポイントツーポイントコールの両方を移動局に提供できない場合に放送及びポイントツーポイントコールのうちのいずれを選択するかを示す。値が“１”の場合は、移動局がポイントツーポイントコールを優先させることを意味しており、値が“０”の場合は、移動局が放送を優先させることを意味している。
【００６０】
ＢＣＭＣＳ＿ＩＤ＿ＰＲＩＯＲＩＴＹ
このメッセージコードは、着呼を受け入れるメッセージ又は発呼を行うメッセージと共に移動局によって伝送される。ＢＣＭＣＳ＿ＩＤ＿ＰＲＩＯＲＩＴＹメッセージコードは、ある１つの所定の放送番組に関して、ネットワークが全番組を同時並行して供給することができない場合に、その他の指定された放送番組よりも該所定の放送番組を優先させるように指定するメッセージコードである。この所定の放送番組は、別のメッセージ、パラメータ、又はコードによって識別することができ、１つの例は、放送サービス識別子（ＢＣＭＣＳ＿ＩＤ）メッセージコードである。ＢＣＭＣＳ＿ＩＤ＿ＰＲＩＯＲＩＴＹにおいて、値が“１”の場合は、所定の番組がその他の番組よりも優先度が高いことを意味しており、値が“０”の場合は、所定の番組のほうが優先度が低いことを意味している。代替として、ＢＣＭＣＳ＿ＩＤ＿ＰＲＩＯＲＩＴＹコードは、これよりも広い範囲の値（例えば、１乃至１０）を利用することができ、このため、移動局は、複数の放送番組の互いの優先順位をより正確に設定することができる。
【００６１】
ＢＣＭＣＳ＿ＩＮＦＯ＿ＩＮＣＬ
このメッセージコードは、移動局への呼又は移動局からの呼を完了させるメッセージと共にネットワークから移動局に伝送される。例えば、ＢＣＭＣＳ＿ＩＮＦＯ＿ＩＮＣＬメッセージコードは、移動局がポイントツーポイントコールを行う際に利用するためのチャネルを割り当てるチャネル割当てメッセージと共に提供される。このメッセージコードは、値が“１”の場合は、チャネル割当てメッセージは個々の放送チャネルを移動局に付与する情報も含むことを示しており、値が“０”の場合は、放送チャネル情報が含まれていないことを示している。
【００６２】
ＵＳＥ＿ＳＡＭＥ＿ＢＣＭＣＳ＿ＩＮＦ
このメッセージコードは、移動局への呼または移動局からの呼を完了させるメッセージ（例えば、チャネル割当てメッセージ、等）と共にネットワークによって伝送される。値が“１”の場合は、移動局が同じ放送チャネル情報を使用し続けるべきであることを示しており、値が“０”の場合は、移動局が注意すべき新たな放送チャネル情報が含まれていることを示している。放送チャネル情報は、周波数、データ速度、ウォルシュ符号、及び／又はその他の特性を含めることができる。
【００６３】
ＮＵＭ＿ＢＣＭＣＳ＿ＳＥＳＳＩＯＮ，ＮＵＭ＿ＦＢＳＣＨ
これらのメッセージコードは、ポイントツーポイントコールが認可されて放送構成が変更されたときに放送チャネル及びその他の構成情報を識別するためにネットワークによって伝送される。ＮＵＭ＿ＢＣＭＣＳ＿ＳＥＳＳＩＯＮは、この移動局に対して割り当てられている放送番組数を示し、ＮＵＭ＿ＦＢＳＣＨは、放送を引き渡す際に用いられる放送補足チャネルの番号を示している。
【００６４】
以下では、これらのメッセージコード及びその他のメッセージコードについて関連図を参照しつつさらに詳細に説明する。
【００６５】
ＭｏｂｉｌｅＳｔａｔｉｏｎ−ＯｕｔｇｏｉｎｇＣａｌｌ
図８は、移動局が共有放送を既に受信中であるときに発信ポイントツーポイントコールを開始させるために該移動局によって実施される動作８００を描いた図である。以下では、説明を容易にするために、但し限定することを意図することなしに、上述した図１乃至６の構成要素と共にシーケンス８００について説明する。
【００６６】
ステップ８０２において、移動局は、オペレータによる遠隔局へのポイントツーポイントコールの開始を受け取る。この動作は、移動局がマルチユーザー順方向リンク放送チャネルを通じて放送番組を既に受信中に発生する。ステップ８０２においては、移動局は、アイドル状態５６２である。オペレータによる開始は、例えば、オペレータがキーパッド、デジタルパッド、音声認識エンジン、又はその他の何らかの手段を利用して電話番号又は代表的な速記コードを入力することによって発生する。
【００６７】
移動局は、オペレータによる開始に応答して、呼処理上の様々な優先事項を決定し（ステップ８０３）、次に、様々な行為（ステップ８０４乃至８１５）を適宜実施する。例示した例においては、呼処理上の優先事項は、移動局が共有放送の受信を続けることを希望するかどうかを決定すること、及び、ネットワーク資源において衝突が生じた場合にポイントツーポイントコール及び放送の間で優先度が高いほうを選択することを含む。ステップ８０３は、移動局によって実施され、移動局は、人間のオペレータへの問い合わせ、移動局又はその他の場所に予め保存されている優先事項記録の参照、ディフォルト値の利用、これらの手段の組合せ又はその他の手段を行う。
【００６８】
ステップ８０３の呼処理上の優先事項が、放送の継続を希望しないことを示している場合は、移動局は、呼を開始させるための発信メッセージを送る（ステップ８０６）。この動作は、移動局をアイドル状態５６２からアクセス状態５６４にする。さらに、移動局は、放送コンテンツを受信し続けることを希望しないことを示す追加メッセージも送る。この追加メッセージは、発信メッセージとは別々にすること、又は、補助的な一部分（例えば、パラメータ、予め定義されたフラグ、付加物、又はその他のメタデータ構成要素、等）にすることができる。例えば、追加メッセージは、値が“０”のメッセージコードＢＣＭＣＳ＿ＲＥＱを具備することができる。ステップ８０６を実施後は、移動局は、ネットワークが例えばチャネル割当てメッセージを送ることによって呼を完了させるためのシグナリングを行うのを待つ（８０７）。
【００６９】
ステップ８０８は、ステップ８０６及び８０７とは対照的に、放送の継続が希望されていることをステップ８０４が示した場合に実施される。ステップ８０８においては、移動局は、呼を開始させるための発信メッセージを送り、移動局をアイドル状態５６２からアクセス状態５６４に移行させる。さらに、移動局は、放送コンテンツの受信継続を希望することを示す追加メッセージも送る。この追加メッセージは、発信メッセージとは別々にすること、又は、補助的な一部分（例えば、パラメータ、予め定義されたフラグ、付加物、又はその他のメタデータ構成要素、等）にすることができる。例えば、追加メッセージは、値が“１”のメッセージコードＢＣＭＣＳ＿ＲＥＱを具備することができる。
【００７０】
ステップ８０８の完了後は、ステップ８１０は、（ステップ８０３からの）呼処理上の優先事項がポイントツーポイントコールよりも放送を優先させているかどうか又は放送よりもポイントツーポイントコールを優先させているかどうかに依存してステップ８１２又は８１４に進む。この場合、ポイントツーポイントコールよりも放送を優先させている場合はステップ８１２に進み、放送よりもポイントツーポイントコールを優先させている場合はステップ８１４に進む。さらに、放送が優先されている場合は、移動局は、何らかの衝突が発生した場合は放送が優先することを示した追加メッセージを送る（８１２）。この追加メッセージは、（ステップ８０８の）発信メッセージとは別々にすること、又は、補助的な一部分（例えば、パラメータ、予め定義されたフラグ、付加物、又はその他のメタデータ構成要素、等）にすることができる。例えば、追加メッセージは、値が“０”のメッセージコードＢＣＭＣＳ＿ＲＥＱ＿ＰＲＩＯＲＩＴＹを具備することができる。同じくステップ８１２において、移動局が複数の放送番組を受信中である場合は、移動局は、これらの複数の放送番組の間における相対的優先順位を指定することができる。例えば、この指定は、ＢＣＭＣＳ＿ＩＤ＿ＰＲＩＯＲＩＴＹメッセージコードを用いて達成させることができる。ステップ８１２の完了後は、移動局は、ネットワークが例えばチャネル割当てメッセージを送ることによって呼を完了させるためのシグナリングを行うのを待つ（８１３）。究極的には、呼が完了した時点で、移動局はトラフィック状態５６６に移行する。
【００７１】
対照的に、（何らかの衝突が発生した場合に）放送よりもポイントツーポイントコールが優先される場合は、ステップ８１０は、ステップ８１４に進む。ステップ８１４においては、移動局は、何らかの衝突が発生した場合は放送よりも呼が優先されることを示した追加メッセージを送る。この追加メッセージは、（ステップ８０８の）発信メッセージとは別々にすること、又は、補助的な一部分（例えば、パラメータ、予め定義されたフラグ、付加物、又はその他のメタデータ構成要素、等）にすることができる。例えば、追加メッセージは、値が“１”のメッセージコードＢＣＭＣＳ＿ＲＥＱ＿ＰＲＩＯＲＩＴＹを具備することができる。ステップ８１４の完了後は、移動局は、ネットワークが例えばチャネル割当てメッセージを送ることによって呼を完了させるためのシグナリングを行うのを待つ（８１５）。究極的には、呼が完了した時点で、移動局はトラフィック状態５６６に移行する。
【００７２】
移動局−着呼
図９は、移動局が共有放送番組を既に受信中であるとき着信ポイントツーポイントコールを処理するために移動局によって実施される動作９００を描いた図である。以下では、説明を容易にするために、但し限定することを意図することなしに、上述した図１乃至６の構成要素と共にシーケンス９００について説明する。
【００７３】
ステップ９０２において、移動局は、遠隔局から発生しているポイントツーポイントコールの通知をネットワークから受け取る。この受け取りは、移動局がアイドル状態５６２においてマルチユーザー順方向リンク放送チャネルを通じて放送コンテンツを既に受信中であるときに発生する。ネットワークによる通知は、例えば、移動局と通信中の基地局からページングメッセージを受け取ることによって発生する。移動局は、呼通知が到着するとアクセス状態５６４に移行する。
【００７４】
移動局は、ステップ９０２に応答して、着信呼を受け入れるかまたは拒否するかどうかを決定する入力を行うようにオペレータに要請する（ステップ９０３）。ステップ９０３は、移動局が、電話のベルを鳴らすか、電話を振動させるか、メッセージを表示するか、これらの手段を組み合わせるか、又はその他の手段を使用し、その後に音声、スタイラスペン、キーパッド入力、等によるオペレータの入力を受け取ることによって実施することができる。代替として、ステップ９０４は、例えば移動局が着呼の処理に関する一定の命令によってプログラミングされている場合は、オペレータによる入力なしで解決することができる。
【００７５】
ステップ９０３の完了後は、ステップ９０４は、オペレータが着呼を拒否するか（９０６）又は受け入れるか（９０５）のいずれを選択するかに依存してステップ９０６又はステップ９０５に進む。着呼が拒否された場合は、ステップ９０４は、ステップ９０６に進み、移動局は、例えば否定するページ応答メッセージを送るか又はネットワークのページへの応答を無視することによってネットワークのページを拒否する。この場合には、移動局は、アクセス状態５６４からアイドル状態５６２に移行する。
【００７６】
着呼が受け入れられた場合は、ステップ９０４は、ステップ９０５に進み、移動局は、呼の処理上の様々な優先事項を決定する。例示した例においては、これらの呼の処理上の優先事項は、（１）放送コンテンツの受信を続けるかどうか、及び（２）ネットワーク資源がポイントツーポイントコール及び放送コンテンツを同時並行して実施することができない場合にポイントツーポイント及び放送コンテンツのうちのいずれを選択するか、を少なくとも含む所定の動作条件カテゴリに関する決定が関わっている。ステップ９０５において呼処理上の優先事項を収集することは、移動局によって実施され、移動局は、人間のオペレータへの問い合わせ、移動局又はその他の場所に予め保存されている優先事項記録の参照、ディフォルト値の利用、これらの手段の組合せ又はその他の手段を行う。
【００７７】
移動局は、呼の処理上の優先事項の決定後は、以下においてさらに詳細に説明するように、これらの優先事項を示した追加メッセージをネットワークに送る。より具体的には、ステップ９０８は、（ステップ９０５からの）呼処理上の優先事項が放送の接続を維持する（９１０）又は放送を中止する（９１２）のいずれを優先させるかに依存してステップ９１０又は９１２に進む。
【００７８】
移動局が放送の接続を中止させる場合は、移動局は、呼を受け入れるページ応答メッセージを送る（ステップ９１２）。さらに、移動局は、放送コンテンツを受信し続けることを希望しないことを示した追加メッセージも送る。この追加メッセージは、ページ応答メッセージとは別々にすること、又は、補助的な一部分（例えば、パラメータ、予め定義されたフラグ、付加物、又はその他のメタデータ構成要素、等）にすることができる。例えば、追加メッセージは、値が“０”のメッセージコードＢＣＭＣＳ＿ＲＥＱを具備することができる。ステップ９１２の完了後は、移動局は、ネットワークが例えばチャネル割当てメッセージを送ることによって呼を完了させるためのシグナリングを行うのを待ち（９１３）、該シグナリングが行われた時点でトラフィック状態５６６に移行する。
【００７９】
対照的に、放送の接続を維持すべきであることがステップ９０８において判明した場合は、移動局は、呼を受け入れるページ応答メッセージを送る（ステップ９１０）。さらに、移動局は、放送コンテンツの受信継続を希望することを示す追加メッセージも送る。この追加メッセージは、ページ応答メッセージとは別々にすること、又は、補助的な一部分（例えば、パラメータ、予め定義されたフラグ、付加物、又はその他のメタデータ構成要素、等）にすることができる。例えば、追加メッセージは、値が“１”のメッセージコードＢＣＭＣＳ＿ＲＥＱを具備することができる。
【００８０】
ステップ９１０の完了後は、ステップ９１４は、（ステップ９０５からの）呼処理上の優先事項がポイントツーポイントコールよりも放送を優先させる（９１６）、放送よりもポイントツーポイントコールを優先させる（９２０）、又は該優先事項が不明である（９１８）のいずれであるかに依存して、ステップ９１６、９１８、又は９２０に進む。放送が優先される場合は、移動局は、何らかの衝突が発生した場合は放送が優先されることを示す追加メッセージを送る（９１６）。この追加メッセージは、値が“０”のメッセージコードＢＣＭＣＳ＿ＲＥＱ＿ＰＲＩＯＲＩＴＹを具備することができる。ポイントツーポイントコールが優先される場合は、移動局は、該呼が優先されることを示す追加メッセージを送る（９２０）。例えば、この追加メッセージは、値が“１”のメッセージコードＢＣＭＣＳ＿ＲＥＱ＿ＰＲＩＯＲＩＴＹを具備することができる。ステップ９１６及び９２０の追加メッセージは、（ステップ９１０の）ページ応答メッセージとは別々にすること、又は、補助的な一部分（例えば、パラメータ、予め定義されたフラグ、付加物、又はその他のメタデータ構成要素、等）にすることができる。ステップ９１６又は９２０の完了後は、移動局は、ステップ９１７（ステップ９１６の場合）又はステップ９２１（ステップ９２０の場合）において、ネットワークが例えばチャネル割当てメッセージを送ることによって呼を完了させるためのシグナリングを行うのを待ち、該シグナリングが行われた時点でトラフィック状態５６６に移行する。
【００８１】
呼/放送に関する相対的優先度が不明である場合は、移動局は、現時点では、例えば「優先度不明」を表す追加メッセージを送ることによって（９１８）、いずれを優先させるかを示すことを保留する。この追加メッセージは、（ステップ９１０の）ページ応答メッセージとは別々にすること、又は、補助的な一部分（例えば、パラメータ、予め定義されたフラグ、付加物、又はその他のメタデータ構成要素、等）にすることができる。代替として、移動局は、「優先度不明」に関するメッセージを送る代わりに、優先度に関するメッセージを省略することによってこの事実を示し、この場合はステップ９１８が省略される。ステップ９１８の完了後、又は（ステップ９１８が省略された場合は）ステップ９１４の完了後は、移動局は、ネットワークからのチャネル割当てメッセージを待つ（９１９）。移動局は、チャネル割当てを受け取ったことに応答して（ステップ９２３）、呼／放送に関する優先度を表したメッセージを送り、その後は、該当するネットワーク資源の利用可能性に基づいたネットワークの指示に従い、ポイントツーポイントコール、放送、又はその両方を実施する。ポイントツーポイントコールが完了された場合は、移動局は、トラフィック状態５６６に移行する。
【００８２】
ネットワークの動作
図１０は、移動局へのポイントツーポイントコール又は移動局からのポイントツーポイントコールを処理するためにネットワークによって実施される動作１０００を示した図であり、この呼は、移動局が共有放送番組を既に受信中に開始される。以下では、説明を容易にするために、但し限定することを意図することなしに、上述した図１乃至６の構成要素と共にシーケンス１０００について説明する。１つのより特定の例として、動作１０００は、移動局が既に通信中である基地局（「主基地局」）によって実施することができる。
【００８３】
ステップ１００２において、ネットワークは、対象移動局に対するポイントツーポイントコールの開始又は対象移動局からのポイントツーポイントコールの開始を受け取る。該ポイントツーポイントコールが遠隔局から移動局に対して行われた場合は、ステップ１００２の通知は、移動局のページ応答メッセージの形で到着する（例えば、図９、ステップ９１０及び９１２）。該ポイントツーポイントコールが移動局から遠隔局に対して行われている場合は、ステップ１００２の通知は、発信メッセージの形で到着する（例えば、図８、ステップ８０６及び８０８）。
【００８４】
ページ応答メッセージが着信ポイントツーポイントコールを拒否している場合は、ネットワークは、該ポイントツーポイントコールの完了を打ち切る（ステップ１００５）。他方、ページ応答メッセージが該ポイントツーポイントコールを受け入れることを示している場合、又は、対象となるポイントツーポイントコールが発呼である場合は、ステップ１００２は、ステップ１００３に進む。
【００８５】
ステップ１００３において、ネットワークは、少なくとも（１）放送コンテンツの受信を続けるかどうか、及び（２）ネットワーク資源がポイントツーポイントコール及び放送コンテンツを同時並行して実施することができない場合にポイントツーポイントコール及び放送コンテンツのうちのいずれを選択するか、を含む移動局の呼処理上の優先事項に関する通知を受け取る。例示した例においては、移動局の呼処理上の優先事項をネットワークが受け取ること（１００３）は、移動局がページ応答補足メッセージを伝送すること（例えば、ステップ９１０、９１２、９１６、９１８、又は９２０、等）又は呼発信補足メッセージを伝送すること（例えば、ステップ８０６、８０８、８１２、８１４、等）に対応している。これらのメッセージ伝送例は、上記のメッセージコードである。
【００８６】
ステップ１００３の完了後は、移動局の呼処理上の優先事項に依存して、ネットワークは、（１）放送の継続を考慮せずにポイントツーポイントコールを完了させる、（２）ネットワーク資源がポイントツーポイントコール及び放送コンテンツを同時並行して実施することができる場合はポイントツーポイントコールを完了させる、及び（３）ネットワーク資源がポイントツーポイントコール及び放送コンテンツを同時並行して実施することができない場合はポイントツーポイントコールの完了を打ち切る、のうちのいずれか１つの動作を実施する。
【００８７】
より具体的には、ステップ１００４において、ネットワークは、移動局の呼処理上の優先事項が放送を希望しないことを表している場合は、ステップ１００６に進む。この場合には、ネットワークは、通常のポイントツーポイントコールの設定に従事する。ネットワークは、移動局が放送を希望しないことを表明したことをハウスキーピング目的のために利用し、この移動局に関する放送を中止する。より具体的には、この動作は、ネットワークがチャネル割当てメッセージ内のＢＣＭＣＳ＿ＩＮＦＯ＿ＩＮＣＬフラグを“０”に設定することによって達成させることができる。しかしながら、その他の移動局は、共有放送サービスの受信を続ける。
【００８８】
他方、ステップ１００４において、呼処理上の優先事項が放送を希望することを示していることが判明した場合は、ステップ１００４は、ステップ１０１８に進む。ステップ１０１８において、ネットワークは、放送を実施する上で現在の共有チャネルの代わりに利用できる個々のチャネルが存在するかどうかを決定する。この決定は、移動局と通信中の基地局が個々のチャネルを通じて放送番組を提供するために展開されているかどうか、及び、個々のチャネルを割り当てるための追加電力の要求が基地局において正当化可能であるかどうかに依存する。個々のチャネルが優先される理由は、個々のチャネルを通じた放送の管理がポイントツーポイントコールの管理と類似しておりこのためネットワーク手順が共有チャネルの場合よりも単純なためである。個々のチャネルを利用可能である場合は、ネットワークは、移動局を該チャネルに割り当て（ステップ１０２０）、該チャネルを通じて移動局への放送コンテンツの伝送を開始する。尚、クオルコム・コーポレーションに対して譲渡された様々な米国特許出願（上記において具体的に識別されているクオルコム特許出願のうちの１つ以上の特許出願を含む）では、個々のチャネルにおける放送コンテンツの引渡しについてさらに詳細に説明されている。
【００８９】
対照的に、ステップ１０１８において、個々のチャネルを利用できないことが判明した場合は、ルーチン１０００は、ステップ１００８に進む。ステップ１００８において、ネットワークは、（ステップ１００３から受け取った）呼処理上の優先事項によって示された移動局の選択結果（即ち、移動局が放送又はポイントツーポイントコールのいずれを選択したか）に基づいてステップ１０１４、１０１０、又は１０１６に進むようにルーチン１０００に指示する。ステップ１０１４は、放送がポイントツーポイントコールに優先して選択されたときに用いられる。ステップ１０１０は、（ステップ９１８に対応して）優先度が不明であるときに選択される。ステップ１０１６は、（ステップ８１４又は９２０に対応して）ポイントツーポイントコールが優先されるときに用いられる。
【００９０】
ステップ１０１４は、ネットワークがポイントツーポイントコール及び放送コンテンツの引渡しに同時並行して対応できるかどうかを決定する。この決定は、共有放送チャネルの周波数がポイントツーポイントコールが割り当てられる場合の周波数と同じであるかどうか及び同時並行する放送及びポイントツーポイントコールの複雑性に対処する能力をネットワークが備えているかどうか等の要因に基づいて行われる。ネットワークがポイントツーポイントコール及び共有放送に対応できない場合、ネットワークは、ポイントツーポイントコールを解放する（１０１５）。ポイントツーポイントコールは、例えば、基地局がページングチャネルを通じて解放メッセージを移動局に伝送することによって解放することができる。他方、ネットワークがポイントツーポイントコール及び放送の両方に対応できる場合は、ステップ１０１４は、ステップ１０２２に進む。ステップ１０２２については、以下においてさらに詳細に説明する。
【００９１】
ステップ１０１６は、ステップ１０１４と同様に、ネットワークがポイントツーポイントコール及び放送コンテンツの引渡しに同時並行して対応できるかどうかを決定する。しかしながら、ステップ１０１４とは異なり、ネットワークがポイントツーポイントコール及び放送の両方に対応できない場合は、ネットワークは、（現在の移動局に関する）放送を終了させ、ポイントツーポイントコールを完了させる（ステップ１０１７）。この場合は、ネットワークは、例えば、ポイントツーポイントコールを実施するための特定のチャネルに移動局を割り当てるチャネル割当てメッセージを送ることによってポイントツーポイントコールを完了させることができる。ネットワークが放送を終了させることは、ポイントツーポイントコール中に移動局が放送サービスの受信を続けるのを妨げることを意味している。より具体的には、この終了は、ネットワークがチャネル割当てメッセージ内においてＢＣＭＣＳ＿ＩＮＦＯ＿ＩＮＣＬフラグを“０”に設定することによって達成させることができる。しかしながら、その他の移動局は、共有放送サービスの受信を続ける。対照的に、ステップ１０１６において、ポイントツーポイントコール及び放送の組合せが持続可能であることが判明した場合は、ルーチン１０００は、後述するステップ１０２２に進む。
【００９２】
ステップ１０２２において、ネットワークは、共有放送及びポイントツーポイントコールの引渡しに関する手はずを完了させる前に、該放送が同じ引渡しメカニズムを引き続き使用することができるかどうか、又は、同時並行してポイントツーポイントコールに従事するための異なった構成を用いて放送を行う必要があるかどうかを決定する。引渡しメカニズム、即ち「構成」を変更することは、周波数、データ速度、ウォルシュ符号、多重化フォーマット、フレームサイズ、符号化の型及び／又はその他の信号特性を変更することが関わることがある。例えば、放送の引渡しに使用された周波数がポイントツーポイントコールの追加を許容できない等の様々な状況が発生する可能性がある。例えば、基地局は、負荷の均衡化を行うために各周波数において指定呼数を割り当てることができ、従って高電力が要求される周波数においてはポイントツーポイントコールを割り当てることができない。
【００９３】
ステップ１０２２の完了後は、ネットワークは、ステップ１０２４又は１０２６においてポイントツーポイントコールのためのチャネル割当てを行う。ステップ１０２４は、現在の放送コンテンツと同じ周波数のチャネルを割り当て、ステップ１０２６は、ポイントツーポイントコール用の異なった周波数のチャネルを割り当て、さらに該異なった周波数における放送コンテンツの受信を開始させるように移動局に指図する。より具体的な例として、ステップ１０２４は、（放送が継続中であるため）“１”の値を有するメッセージコードＢＣＭＣＳ＿ＩＮＦＯ＿ＩＮＣＬ及び（同じ放送構成が使用されるため）“１”の値を有するメッセージコードＵＳＥ＿ＳＡＭＥ＿ＢＣＭＣＳ＿ＩＮＤを含むことができる。同様に、ステップ１０２６は、（放送が継続中であるため）“１”の値を有するメッセージコードＢＣＭＣＳ＿ＩＮＦＯ＿ＩＮＣＬ及び（異なった放送構成が使用されるため）“０”の値を有するメッセージコードＵＳＥ＿ＳＡＭＥ＿ＢＣＭＣＳ＿ＩＮＤを使用することができる。さらに、ステップ１０２６は、新たなチャネル構成の詳細事項を識別するためにメッセージコードＮＵＭ＿ＢＣＭＣＳ＿ＳＥＳＳＩＯＮ及びＮＵＭ＿ＦＢＳＣＨを利用することもできる。
【００９４】
前記の２つの状況（１０１４及び１０２６）とは対照的に、ステップ１００８は、移動局がポイントツーポイントコール及び放送に関する相対的優先度を指定しなかった場合はステップ１０１０に進む。この場合には、ネットワークは、ステップ１０１０においてチャネル割当てメッセージを送り、移動局がポイントツーポイントコールを行うためのチャネルを暫定的に割り当てる。このチャネル割当てが暫定的である理由は、後述するように、移動局がポイントツーポイントコール及び放送のいずれかを選択していなければ、該チャネルが実際に必要であるかどうかをネットワークが決定できないためである。ステップ１０１２において、ネットワークは、移動局が選択した優先項目（ステップ９２３において伝送）（図９）を受け取る。
【００９５】
次に、ネットワークは、ステップ１０１２から受け取った移動局の優先項目に基づき、ポイントツーポイントコール、放送、又はその両方を実施する（ステップ１０１３）。即ち、ネットワークは、（１）ステップ１０１０において割り当てられたチャネルを解放する（移動局が放送を選択しており、ネットワーク資源がポイントツーポイントコール及び放送を同時並行して処理できない場合）、（２）放送を終了させる（移動局がポイントツーポイントコールを選択しており、ネットワーク資源が同時並行したポイントツーポイントコール及び放送をサポートできない場合）、又は（３）ポイントツーポイントコール及び放送の両方を実施する（ネットワークの状態上可能な場合）のうちのいずれか１つを実施する。
【００９６】
その他の実施形態
当業者は、情報及び信号は様々な技術及び技法を用いて表すことができることを理解している。例えば、上記の説明全体を通じて引用することができるデータ、命令、指令、情報、信号、ビット、記号、及びチップは、電圧、電流、電磁波、磁界、磁気粒子、光学場、光学粒子、又はそのあらゆる組合せによって表すことができる。
【００９７】
当業者は、さらに、本出願明細書において開示された実施形態に関連して説明されている様々な例示的論理ブロック、モジュール、回路、及びアルゴリズムステップは、電子ハードウエアとして、コンピュータソフトウエアとして、又はその両方の組合せとして実装できることを高く評価することになる。上記では、このようなハードウエア及びソフトウエアの互換性について明確に例示するため、様々な例示的構成要素、ブロック、モジュール、回路、及びステップについて各々の機能の観点から一般的に説明してある。該機能がハードウエア又はソフトウエアのいずれとして実装されるかは、特定の用途及びシステム全体に課せられている設計上の制約事項に依存する。当業者は、上記の機能を特定の用途に合わせて様々な方法で実装することができるが、該実装決定は、本発明の適用範囲からの逸脱の原因となるものであると解釈すべきではない。
【００９８】
本出願明細書において開示されている実施形態に関して説明されている様々な例示的な論理ブロック、モジュール、及び回路は、本出願明細書において説明されている機能を果たすように設計された汎用プロセッサ、デジタル信号プロセッサ(DSP)、特定用途向け集積回路(ASIC)、フィールドプログラマブルゲートアレイ(FPGA)、その他のプログラミング可能な論理デバイス、ディスクリートゲートロジック、ディスクリートトランジスタロジック、ディスクリートハードウエア構成品、又はそのあらゆる組合せ、を用いて実装又は実行することができる。汎用プロセッサはマイクロプロセッサにすることができるが、その代替策として、従来のどのようなプロセッサ、コントローラ、マイクロコントローラ、又はステートマシンであってもよい。さらに、プロセッサは、計算装置の組合せ、例えば、ＤＳＰと、１つのマイクロプロセッサとの組合せ、複数のマイクロプロセッサとの組合せ、ＤＳＰコアと関係する1つ以上のマイクロプロセッサとの組合せ、又はその他のあらゆる該コンフィギュレーションとの組合せ、として実装することもできる。
【００９９】
本出願明細書において開示されている実施形態に関して説明されている方法又はアルゴリズムのステップは、ハードウエア内において直接具体化させること、プロセッサによって実行されるソフトウエアモジュール内において具体化させること、又はその両方の組合せにおいて具体化させることができる。ソフトウエアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、又は当業において既知であるその他のあらゆる形態の記憶媒体に常駐させることができる。１例として、１つの典型的な記憶媒体をプロセッサに結合させ、プロセッサが該記憶媒体から情報を読み出すようにすること及び該記憶媒体に情報を書き込むようにすることができる。代替として、該記憶媒体は、プロセッサと一体化させることができる。さらに、該プロセッサ及び該記憶媒体は、ＡＳＩＣ内に常駐させることができる。
【０１００】
さらに、開示した実施形態に関する上記の説明は、当業者が本発明を製造又は使用できるようにすることを目的とするものである。又、本実施形態に対する様々な修正及び変更が加えられた場合には、当業者は、該修正及び該変更を容易に理解することが可能である。さらに、本出願明細書において定められている一般原則は、本発明の精神及び適用範囲を逸脱しない形でその他の実施形態に対しても適用することができる。以上のように、本発明は、本出願明細書において示されている実施形態に限定することを意図するものではなく、本出願明細書において開示されている原則及び斬新な特長に一致する限りにおいて最も広範な適用範囲が認められることになることを意図するものである。
【０１０１】
本出願明細書において用いられている「典型的」という表現は、「１つの例、事例、又は例示である」ことを意味している。さらに、本出願明細書において「典型的」として説明されているいずれの実施形態も、その他の実施形態よりも優先されると必ずしも解釈すべきではなくさらにはその他の実施形態よりも有利であると必ずしも解釈すべきではない。
【図１】
2010119114.tif 000003
【図２】
2010119114.tif 000004
【図３】
2010119114.tif 000005
【図４】
2010119114.tif 000006
【図５Ａ】
2010119114.tif 000007
【図５Ｂ】
2010119114.tif 000008
【図５Ｃ】
2010119114.tif 000009
【図５Ｄ】
2010119114.tif 000010
【図６】
2010119114.tif 000011
【図７】
2010119114.tif 000012
【図８】
2010119114.tif 000013
【図９】
2010119114.tif 000014
【図１０】
2010119114.tif 000015
【手続補正書】
【提出日】平成22年1月25日(2010.1.25)
【手続補正１】
【補正対象書類名】特許請求の範囲
【補正対象項目名】全文
【補正方法】変更
【補正の内容】
【特許請求の範囲】
【請求項１】
無線通信ネットワークの１つ以上の構成要素を動作させる方法であって、
無線移動局がマルチユーザー順方向リンク放送チャネルを通じて放送コンテンツを受信中に前記無線移動局及び遠隔の第三者の間で行われたポイントツーポイントコールの開始を受信する動作と、
（１）前記ポイントツーポイントコールを受信するかどうか（前記ポイントツーポイントコールが遠隔の第三者によって開始された場合）、（２）前記放送コンテンツを受信し続けるかどうか、及び（３）ネットワーク資源が前記ポイントツーポイントコール及び前記放送コンテンツを同時並行して実施することができない場合に前記ポイントツーポイントコール及び前記放送コンテンツのうちのいずれかを選択すること、を少なくとも含む所定の動作条件カテゴリに関する移動局優先事項についての通知を前記移動局から受け取る動作と、
前記移動局の優先事項に従い、（１）前記ポイントツーポイントコールの完了を放棄するタスク、（２）ネットワーク資源が前記放送を続けることができるかどうかを考慮せずに前記ポイントツーポイントコールを完了させるタスク、（３）ネットワーク資源が前記ポイントツーポイントコール及び前記放送コンテンツを同時並行して実施することができる場合は前記ポイントツーポイントコールを完了させるタスク、及び（４）ネットワーク資源が前記ポイントツーポイントコール及び前記放送コンテンツを同時並行して実施することができない場合は前記放送コンテンツの受信を続けさらに前記ポイントツーポイントコールの完了を打ち切るタスク、のうちの１つのタスクを含む呼処理動作を実施する動作と、を具備する方法。
【請求項２】
前記ネットワークが移動局優先事項の通知を前記移動局から受け取る前記動作は、前記いずれを選択するかをページ応答メッセージと共に前記移動局から受け取ること、及び、前記ネットワークが前記移動局にチャネル割当てメッセージを伝送したことに応答して前記移動局によって伝送されたメッセージにおいて前記いずれを選択するかを受け取ること、のうちの１つを具備する、請求項１に記載の方法。
【請求項３】
ネットワーク資源が前記ポイントツーポイントコール及び前記放送コンテンツを同時並行して実施することができる場合は前記ポイントツーポイントコールを完了させる前記動作は、前記放送コンテンツの受信を続けるためにマルチユーザー順方向リンク放送チャネルの異なる通信構成を利用するように前記移動局に指図することをさらに具備する、請求項１に記載の方法。
【請求項４】
前記所定の動作条件カテゴリは、ネットワーク資源が全番組を同時並行して実施することができない場合は複数の放送コンテンツ番組の中から選択することをさらに含む、請求項１に記載の方法。
【請求項５】
前記呼処理動作は、所定の状況下においては前記放送コンテンツを前記移動局に引き渡すために非共有チャネルの使用を開始することを具備する、請求項１に記載の方法。
【外国語明細書】
2010119114000001.pdf